(57)【要約】【課題】ＶＯＤ非対応のデジタルテレビでは、ＶＯＤサービスを利用できなかった。【解決手段】テレビ１３は、デコードできないコンテンツを提供するサーバ装置１５へのコンテンツ要求を受付ける要求受付部２０と、その要求に従ってサーバ装置１５へ向けてのリクエストを生成するリクエスト生成部２８と、その生成したリクエストを通信機器１８へ向けて送り出す変換部３０と、外部からの映像データを入力する外部入力部３８とを備える。通信機器１８は、変換部３０からのそのリクエストを受け取った場合にルータ１７を介してサーバ装置１５へ送出するリクエスト送出部３２と、サーバ装置１５からのそのリクエストに対応するコンテンツをルータ１７を介して受け取るコンテンツ受け取り部３４と、そのコンテンツをデコードするデコード部３５と、そのデコードされた映像データを受信端末１３の外部入力部３８へ送り出す映像データ送出部３６とを備える。【選択図】図１
2010062658.tif 000002
【特許請求の範囲】
【請求項１】
ブラウザで表示させるためのコンテンツを送信するサーバ装置にＩＰネットワークを介して接続されたルータと、前記ルータに別のネットワークを介して接続された受信端末と、前記ルータに前記別のネットワークを通じて接続された通信機器とを備えたコンテンツ再生システムにおいて、
前記受信端末は、
前記受信端末がデコードできないコンテンツを提供する、前記ＩＰネットワークに接続された所定のサーバ装置への第１のコンテンツ要求を受け付ける第１の要求受付部と、
前記受け付けた第１のコンテンツ要求にしたがって前記所定のサーバ装置へ向けての第１のリクエストを生成する第１のリクエスト生成部と、
前記第１のリクエスト生成部から前記第１のリクエストを入力し、前記通信機器へ向けて送り出す第１の変換部と、
外部からの映像データを入力する外部入力部とを有し、
前記通信機器は、
前記受信端末からの前記第１のリクエストを受け取った場合は、前記ルータを介して前記所定のサーバ装置へ前記第１のリクエストを送出する第１のリクエスト送出部と、
前記所定のサーバ装置からの前記第１のリクエストに対応する所定のコンテンツを、前記ルータを介して受け取る第１のコンテンツ受け取り部と、
前記受け取った所定のコンテンツをデコードするデコード部と、
前記デコード部でデコードされた映像データを前記受信端末の前記外部入力部へ送り出す映像データ送出部とを有する、コンテンツ再生システム。
【請求項２】
ブラウザで表示させるためのコンテンツを送信するサーバ装置にＩＰネットワークを介して接続されたルータと、前記ルータに別のネットワークを介して接続された受信端末と、前記ルータに前記別のネットワークを通じて接続された通信機器とを備えたコンテンツ再生システムにおける前記通信機器であって、
前記受信端末がデコードできないコンテンツを提供する前記ＩＰネットワークに接続された所定のサーバ装置への第１のコンテンツ要求を受け付ける第１の要求受付部と、前記受け付けた第１のコンテンツ要求にしたがって前記所定のサーバ装置へ向けての第１のリクエストを生成する第１のリクエスト生成部と、前記第１のリクエスト生成部から前記第１のリクエストを入力し送り出す第１の変換部と、外部からの映像データを入力する外部入力部とを有する前記受信端末の前記第１の変換部から、前記第１のリクエストを受け取った場合は、前記ルータを介して前記所定のサーバ装置へ前記第１のリクエストを送出する第１のリクエスト送出部と、
前記所定のサーバ装置からの前記第１のリクエストに対応する所定のコンテンツを、前記ルータを介して受け取る第１のコンテンツ受け取り部と、
前記受け取った所定のコンテンツをデコードするデコード部と、
前記デコード部でデコードされた映像データを前記受信端末の前記外部入力部へ送り出す映像データ送出部とを備えた、通信機器。
【請求項３】
前記受信端末が表示する映像ソースを切り換えさせる切換指示を送る端末入力切換指示部を備え、
前記受信端末は、放送信号およびデータ放送信号を受信しそれぞれデコードして表示する放送信号処理部を有し、
前記受信端末の前記第１の要求受付部は、前記放送信号処理部が前記データ放送信号をデコードして表示した画面中に表示され、受け付けるようになっており、
前記端末入力切換指示部は、前記映像データ送出部から前記映像データを前記外部入力部に送り出す際、前記受信端末に対して、前記放送信号処理部による表示から前記送り出す映像データの表示に切り換えさせる、請求項２に記載の通信機器。
【請求項４】
第２のリクエスト送出部と、第２のコンテンツ受け取り部とをさらに備え、
前記受信端末は、前記受信端末がデコード可能なコンテンツを提供する前記ＩＰネットワークに接続された別の所定のサーバ装置への第２のコンテンツ要求を受け付ける第２の要求受付部と、前記第２の要求受付部で受け付けた場合に前記受け付けた第２のコンテンツ要求にしたがって前記別の所定のサーバ装置へ向けての第２のリクエストを生成する第２のリクエスト生成部と、前記第２のリクエスト生成部から前記第２のリクエストを入力し前記通信機器へ向けて送り出す第２の変換部とを有し、
前記第２のリクエスト送出部は、前記受信端末からの前記第２のリクエストを受け取った場合は、前記ルータを介して前記別の所定のサーバ装置へ前記第２のリクエストを送出し、
前記第２のコンテンツ受け取り部は、前記別の所定のサーバ装置からの前記第２のリクエストに対応する別の所定のコンテンツを前記ルータを介して受け取ると、前記別のネットワークを介して前記受信端末へ送り出し、
前記受信端末は、送り込まれた前記別の所定のコンテンツをデコードして表示する、請求項３に記載の通信機器。
【請求項５】
前記端末入力切換指示部は、前記デコード部による前記第１のリクエストに対応する所定のコンテンツのデコードおよびそのデコードされた前記映像データの送り出しが終わった後に、前記受信端末に対して、前記放送信号処理部による表示に切り換えさせる、請求項３に記載の通信機器。
【請求項６】
前記受信端末から受け取ったリクエスト内に記載されるＵＲＬの中の特定文字列の有無に応じて、そのリクエストが前記第１のリクエストか前記第２のリクエストかを判定し、その判定結果にしたがって、前記第１のリクエスト送出部または前記第２のリクエスト送出部がそのリクエストを処理する、請求項４に記載の通信機器。
【請求項７】
前記受信端末から受け取ったリクエスト内に記載されるＵＲＬの中のホスト名が、予め設定されているホスト名と一致するか否かに応じて、そのリクエストが前記第１のリクエストか前記第２のリクエストかを判定し、その判定結果にしたがって、前記第１のリクエスト送出部または前記第２のリクエスト送出部がそのリクエストを処理する、請求項４に記載の通信機器。
【請求項８】
前記受信端末から受け取ったリクエストの中の特定文字列の有無に応じて、そのリクエストが前記第１のリクエストか前記第２のリクエストかを判定し、その判定結果にしたがって、前記第１のリクエスト送出部または前記第２のリクエスト送出部がそのリクエストを処理する、請求項４に記載の通信機器。
【請求項９】
ブラウザで表示させるためのコンテンツを送信するサーバ装置にＩＰネットワークを介して接続されたルータと、前記ルータに別のネットワークを介して接続された受信端末と、前記ルータに前記別のネットワークを通じて接続された通信機器とを備えたコンテンツ再生システムにおいて、
前記受信端末は、
前記受信端末がデコードできないコンテンツを提供する、前記ＩＰネットワークに接続された所定のサーバ装置への第３のコンテンツ要求を受け付ける第３の要求受付部と、
前記受け付けた第３のコンテンツ要求にしたがって前記所定のサーバ装置へ向けての第３のリクエストを生成する第３のリクエスト生成部と、
前記第３のリクエスト生成部から前記第３のリクエストを入力し、前記ルータを介して前記所定のサーバ装置へ向けて送り出す第１の要求送出部と、
外部からの映像データを入力する外部入力部とを有し、
前記ルータは、
前記所定のサーバ装置から送り出された前記第３のリクエストに対応するコンテンツを受け付けた場合、そのコンテンツを前記別のネットワークを通じて前記通信機器に送り出す転送部を有し、
前記通信機器は、
前記ルータから前記送り出されたコンテンツを受け取るコンテンツ受け取り部と、
前記受け取ったコンテンツをデコードするデコード部と、
前記デコード部でデコードされた映像データを前記受信端末の前記外部入力部へ送り出す映像データ送出部とを有する、コンテンツ再生システム。
【請求項１０】
ブラウザで表示させるためのコンテンツを送信するサーバ装置にＩＰネットワークを介して接続されたルータと、前記ルータに別のネットワークを介して接続された受信端末と、前記ルータに前記別のネットワークを通じて接続された通信機器とを備えたコンテンツ再生システムにおける前記通信機器において、
前記受信端末がデコードできないコンテンツを提供する前記ＩＰネットワークに接続された所定のサーバ装置への第３のコンテンツ要求を受け付ける第３の要求受付部と、前記受け付けた第３のコンテンツ要求にしたがって前記所定のサーバ装置へ向けての第３のリクエストを生成する第３のリクエスト生成部と、前記第３のリクエスト生成部から前記第３のリクエストを入力し前記ルータを介して前記所定のサーバ装置へ向けて送り出す第１の要求送出部と、外部からの映像データを入力する外部入力部とを有する前記受信端末の前記外部入力部へ映像データを送り出す前記通信機器であって、
前記所定のサーバ装置から送り出された前記第３のリクエストに対応するコンテンツを受け付けた場合、そのコンテンツを前記別のネットワークを通じて送り出す転送部を有する前記ルータの前記転送部から前記送り出されたコンテンツを受け取るコンテンツ受け取り部と、
前記受け取ったコンテンツをデコードするデコード部と、
前記デコード部でデコードされた前記映像データを前記受信端末の前記外部入力部へ送り出す映像データ送出部とを備えた、通信機器。
【請求項１１】
前記受信端末が表示する映像ソースを切り換えさせる切換指示を送る端末入力切換指示部を備え、
前記受信端末は、放送信号およびデータ放送信号を受信しデコードして表示する放送信号処理部を有し、
前記受信端末の前記第３の要求受付部は、前記放送信号処理部が前記データ放送信号をデコードして表示した画面中に表示され、受け付けるようになっており、
前記端末入力切換指示部は、前記映像データ送出部から前記映像データを前記外部入力部に送り出す際、前記受信端末に対して、前記放送信号処理部による表示から前記送り出す映像データの表示に切り換えさせる、請求項１０に記載の通信機器。
【請求項１２】
前記受信端末は、前記受信端末がデコード可能なコンテンツを提供する前記ＩＰネットワークに接続された別の所定のサーバ装置への第４のコンテンツ要求を受け付ける第４の要求受付部と、前記第４の要求受付部で受け付けた場合に前記受け付けた第４のコンテンツ要求にしたがって前記別の所定のサーバ装置へ向けての第４のリクエストを生成する第４のリクエスト生成部と、前記生成された第４のリクエストを前記ルータを介して前記別の所定のサーバ装置へ向けて送り出す第２の要求送出部とを有し、前記ルータを介して受け取った前記第４のリクエストに対応するコンテンツをデコードして表示する、請求項１１に記載の通信機器。
【請求項１３】
ＨＤＭＩケーブルにより前記受信端末の前記外部入力部と接続されており、
前記端末入力切換指示部は、前記受信端末が表示する映像ソースの切換指示を、ＣＥＣを用いて行う、請求項４または１１に記載の通信機器。
【請求項１４】
前記端末入力切換指示部は、前記受信端末が表示する映像ソースの切換指示を、赤外線によるリモコン信号を用いて行う、請求項４または１１に記載の通信機器。
【請求項１５】
請求項４に記載の通信機器の、前記第１のリクエストを受け取った場合は前記ルータを介して前記所定のサーバ装置へ前記第１のリクエストを送出する前記第１のリクエスト送出部、前記所定のサーバ装置からの前記第１のリクエストに対応する所定のコンテンツを前記ルータを介して受け取る前記第１のコンテンツ受け取り部、前記受け取った所定のコンテンツをデコードする前記デコード部、前記受信端末が表示する映像ソースを切り換えさせる切換指示を送る前記端末入力切換指示部、前記受信端末からの前記第２のリクエストを受け取った場合は前記ルータを介して前記別の所定のサーバ装置へ前記第２のリクエストを送出する前記第２のリクエスト送出部、前記別の所定のサーバ装置からの前記第２のリクエストに対応する別の所定のコンテンツを前記ルータを介して受け取ると前記別のネットワークを介して前記受信端末へ送り出す前記第２のコンテンツ受け取り部、としてコンピュータを機能させるプログラム。
【請求項１６】
請求項１１に記載の通信機器の、前記ルータの前記転送部から前記送り出されたコンテンツを受け取る前記コンテンツ受け取り部、前記受け取ったコンテンツをデコードする前記デコード部、前記受信端末が表示する映像ソースを切り換えさせる切換指示を送る前記端末入力切換指示部、としてコンピュータを機能させるプログラム。
【請求項１７】
請求項１５または１６に記載のプログラムを記録した記録媒体であって、コンピュータにより処理可能な記録媒体。
【発明の詳細な説明】
【技術分野】
【０００１】
本発明は、デジタル放送サービス内のデータ放送によるサービスを利用する、コンテンツ再生システムおよび通信機器等に関するものである。
【背景技術】
【０００２】
デジタル放送では、ニュースや天気予報、番組案内などの補完データ放送が各チャンネルにて実施されている。
【０００３】
そして、最近では、デジタル放送とともに送信されてくる放送ＢＭＬ（データ放送）に、連携させるＢＭＬコンテンツやＶＯＤコンテンツのＵＲＬを記述しておくことにより、デジタルテレビがインターネット等の他の通信網経由でこれらのコンテンツを取得し再生する等の、放送ＢＭＬ連携サービスも利用できるようになってきている。
【０００４】
すでに市場に出荷された、放送ＢＭＬ連携のＶＯＤサービスを利用できる機能を有していないレガシーテレビであっても、放送ＢＭＬに連携した通信ＢＭＬコンテンツサービスは利用できる。
【０００５】
図１３に、ＶＯＤサービスを利用できないレガシーテレビを用いる場合の、放送ＢＭＬに連携した通信ＢＭＬコンテンツ利用システムの構成図を示す。また、図１４に、通信ＢＭＬコンテンツを利用する際のシーケンス図を示す。
【０００６】
図１３および図１４を用いて、レガシーテレビが通信ＢＭＬコンテンツを利用する際の動作について説明する。
【０００７】
放送送信センタ２０１はデジタルテレビ放送の送出を行っており、映像・音声等の他にデータ放送のためのＢＭＬコンテンツの送出も行っている。受信アンテナ２０２は電波で送られてきたデジタルテレビ放送信号２０９を受信し、同軸ケーブルを介してデジタルテレビ２０３に信号を送っている。なお、デジタルテレビ２０３は、ＶＯＤサービスを利用できる機能を有していないレガシーテレビである。
【０００８】
通信ＢＭＬサーバセンタ２０４は、データ放送閲覧時の通信網経由のＢＭＬコンテンツの送出を行っており、ＩＰネットワーク２０６を介して家庭内のホームルータ２０７と接続されている。ホームルータ２０７は、家庭内ＬＡＮを介してデジタルテレビ２０３に接続されている。
【０００９】
デジタルテレビ２０３は、チューナ２１１が放送波中の放送信号２０９からＭＰＥＧ２−ＴＳのデータストリームを取り出し、ＴＳデコーダ２１２にてこのデータを映像データとＢＭＬデータに分離する。
【００１０】
ＴＳデコーダ２１２で取り出された映像データはＡＶデコーダ２１３に入力され映像信号となって、画面出力部２１７にて画面に出力される。
【００１１】
ＴＳデコーダ２１２で取り出されたＢＭＬデータ（放送ＢＭＬ２２１）はＢＭＬブラウザ２１５に入力され、ＢＭＬデータにしたがって画面構成がレンダリングされ、そのレンダリング結果２２２が画面出力部２１７にて画面に出力される。
【００１２】
データ放送内容が表示された画面内の通信ＢＭＬページへの連携ボタンを、ユーザがリモコン等により選択２２３すると、その選択情報が選択項目入力部２１０からＢＭＬブラウザ２１５に通知され、ＢＭＬブラウザ２１５は、送信メッセージ生成部２１８に通信ＢＭＬサーバセンタ２０４へのコンテンツ要求メッセージ（ＨＴＴＰリクエスト２２４）を作成させる。そして、宛先変換部２２０で、そのコンテンツ要求メッセージにホームルータ２０７の宛先が付加されて、ＬＡＮ／ＩＦ２１４からホームルータ２０７に向けて送信される。
【００１３】
ホームルータ２０７は、そのコンテンツ要求メッセージ（ＨＴＴＰリクエスト２２４）を、ＩＰネットワーク２０６を介して通信ＢＭＬサーバセンタ２０４に送信する。
【００１４】
そして、デジタルテレビ２０３は、通信ＢＭＬサーバセンタ２０４からの通信ＢＭＬコンテンツデータを含む応答メッセージ（ＨＴＴＰレスポンス２２５）を、ＩＰネットワーク２０６およびホームルータ２０７を介してＬＡＮ／ＩＦ２１４で受信する。そして、応答メッセージ解析部２１９によって、その応答メッセージから通信ＢＭＬコンテンツデータが抽出されてＢＭＬブラウザ２１５に渡される。
【００１５】
ＢＭＬブラウザ２１５は、その通信ＢＭＬコンテンツデータをレンダリングし、そのレンダリング結果２２６が画面出力部２１７にて画面に出力される。
【００１６】
また、デジタルテレビ２０３は、ＨＤＭＩコネクタを備えており、外部チューナやＳＴＢなどの外部から入力される映像データ２０８も、ＨＤＭＩ／ＣＥＣ通信部２１６によって表示させることができる。
【００１７】
上記のように、すでに市場に出荷されたレガシーテレビであっても、放送ＢＭＬに連携した通信ＢＭＬコンテンツを利用することができる。しかし一方で、デジタルＴＶの高機能化が進み、デジタル放送の視聴機能以外に、ブラウザによるインターネット接続やＤＬＮＡ(Ｄｉｇｉｔａｌ  Ｌｉｖｉｎｇ  Ｎｅｔｗｏｒｋ  Ａｌｌｉａｎｃｅ)による宅内コンテンツ共有、あるいはＶＯＤでの映像コンテンツ視聴など、新しい機能が毎年のように追加搭載されている。
【００１８】
日進月歩の機能拡張の陰で、すでに市場に出荷されたレガシーテレビでは、新しい拡張機能を利用できないため、利用者の不便を招いている現状がある。
【００１９】
その解決法として、ＳＴＢ等に新機能を搭載し、レガシーテレビに外付けすることが考えられるが、ＳＴＢをテレビに接続して利用する場合には、テレビリモコンとＳＴＢリモコンの２つのリモコンを持ち替えて操作しなければならない等の著しく操作性が劣るという課題がある。
【００２０】
この課題を解決する技術として、テレビ側に新たな機能を設けることによって、ＳＴＢやレコーダなどの外部チューナが接続された場合に、リモコン１つを用いて、あたかも外部チューナの機能が組み込まれているかのように操作可能にする技術が提案されている（例えば、特許文献１参照）。
【特許文献１】特開２００８−６１０６５号公報
【発明の開示】
【発明が解決しようとする課題】
【００２１】
しかしながら、放送ＢＭＬ連携のＶＯＤサービスに対応していないテレビを利用してこのサービスを実現させることはできなかった。
【００２２】
ここでまず、放送ＢＭＬ連携のＶＯＤサービスに対応していないテレビにおける、ＶＯＤサービスに対する動作について、図１３および図１５を用いて説明する。
【００２３】
図１５は、放送ＢＭＬ連携のＶＯＤサービスに対応していないテレビで、ＶＯＤサーバセンタが提供するＶＯＤコンテンツを利用しようとした場合のシーケンス図である。
【００２４】
放送ＢＭＬ連携のＢＭＬサービスとは、放送ＢＭＬ（データ放送）に記述されたＶＯＤコンテンツのＵＲＬからＶＯＤを起動するサービスであり、例えば、視聴中のテレビ番組からデータ放送を起動し、データ放送からそのテレビ番組の過去シリーズをＶＯＤで視聴するといったサービスが提供できる。
【００２５】
図１３に一点鎖線で示すように、通信ＢＭＬサーバセンタ２０４が接続されているＩＰネットワーク２０６には、ＶＯＤコンテンツを送出するＶＯＤサーバセンタ２０５も接続されており、ＶＯＤサービスに対応していないデジタルテレビ２０３からもアクセスが可能である。
【００２６】
ＴＳデコーダ２１２で取り出されたＢＭＬデータ（放送ＢＭＬ２２１）はＢＭＬブラウザ２１５に入力され、ＢＭＬデータにしたがって画面構成がレンダリングされ、そのレンダリング結果２２２が画面出力部２１７にて画面に出力される。
【００２７】
ここで、放送ＢＭＬ２２１にＶＯＤコンテンツに対応するＵＲＬが含まれていた場合には、データ放送が表示された画面内にＶＯＤコンテンツへの連携ボタンも表示される。ユーザがリモコン等によりこのＶＯＤコンテンツへの連携ボタンを選択２２７すると、その選択情報が選択項目入力部２１０からＢＭＬブラウザ２１５に通知され、ＢＭＬブラウザ２１５は、送信メッセージ生成部２１８にＶＯＤサーバセンタ２０５へのコンテンツ要求メッセージ（ＨＴＴＰリクエスト２２８）を作成させる。そして、宛先変換部２２０で、そのコンテンツ要求メッセージにホームルータ２０７の宛先が付加されて、ＬＡＮ／ＩＦ２１４からホームルータ２０７に向けて送信される。
【００２８】
ホームルータ２０７からＩＰネットワーク２０６を介して、そのコンテンツ要求メッセージ（ＨＴＴＰリクエスト２２８）がＶＯＤサーバセンタ２０５へ送信される。
【００２９】
そして、デジタルテレビ２０３は、ＶＯＤサーバセンタ２０５からのＶＯＤコンテンツデータを含む応答メッセージ（ＨＴＴＰレスポンス２２９）を、ＩＰネットワーク２０６およびホームルータ２０７を介してＬＡＮ／ＩＦ２１４で受信する。そして、応答メッセージ解析部２１９によって、その応答メッセージからＶＯＤコンテンツデータが抽出されてＢＭＬブラウザ２１５に渡される。
【００３０】
しかし、ＢＭＬブラウザ２１５は、このＶＯＤコンテンツデータをデコードする機能を有していないため、データ放送の画面表示に「映像が表示できませんでした」等の表示をして、ユーザがＶＯＤコンテンツへの連携ボタンを選択したことに対する動作を終了する。
【００３１】
このようなレガシーテレビ２０３でＶＯＤサービスを利用させるために、ＶＯＤ対応ＳＴＢを外付けする構成が考えられるが、その場合には、ＶＯＤコンテンツのＵＲＬをＳＴＢに通知する必要がある。ＶＯＤコンテンツは外付けＳＴＢでデコードして再生するのに対し、そのＶＯＤコンテンツのＵＲＬが記述された放送ＢＭＬ２２１はデジタルテレビ２０３で受信されるからである。
【００３２】
しかし、デジタルテレビ２０３には、ＵＲＬを通知する機能が無いため、外付けＳＴＢを接続する構成としても、放送ＢＭＬ連携のＶＯＤサービスを実現することができなかった。
【００３３】
特許文献１に開示されている表示装置では、ＨＤＭＩケーブルのＣＥＣラインを利用しているが、ＣＥＣコマンドを用いても、ＵＲＬ情報をデジタルテレビ２０３から外付けＳＴＢへ通知することはできない。
【００３４】
本発明は、上記従来の課題を考慮して、放送ＢＭＬ連携のＶＯＤサービスに対応していないテレビを利用してこのサービスを実現できるコンテンツ再生システム、通信機器等を提供することを目的とする。
【課題を解決するための手段】
【００３５】
上述した課題を解決するために、第１の本発明は、
ブラウザで表示させるためのコンテンツを送信するサーバ装置にＩＰネットワークを介して接続されたルータと、前記ルータに別のネットワークを介して接続された受信端末と、前記ルータに前記別のネットワークを通じて接続された通信機器とを備えたコンテンツ再生システムにおいて、
前記受信端末は、
前記受信端末がデコードできないコンテンツを提供する、前記ＩＰネットワークに接続された所定のサーバ装置への第１のコンテンツ要求を受け付ける第１の要求受付部と、
前記受け付けた第１のコンテンツ要求にしたがって前記所定のサーバ装置へ向けての第１のリクエストを生成する第１のリクエスト生成部と、
前記第１のリクエスト生成部から前記第１のリクエストを入力し、前記通信機器へ向けて送り出す第１の変換部と、
外部からの映像データを入力する外部入力部とを有し、
前記通信機器は、
前記受信端末からの前記第１のリクエストを受け取った場合は、前記ルータを介して前記所定のサーバ装置へ前記第１のリクエストを送出する第１のリクエスト送出部と、
前記所定のサーバ装置からの前記第１のリクエストに対応する所定のコンテンツを、前記ルータを介して受け取る第１のコンテンツ受け取り部と、
前記受け取った所定のコンテンツをデコードするデコード部と、
前記デコード部でデコードされた映像データを前記受信端末の前記外部入力部へ送り出す映像データ送出部とを有する、コンテンツ再生システムである。
【００３６】
また、第２の本発明は、
ブラウザで表示させるためのコンテンツを送信するサーバ装置にＩＰネットワークを介して接続されたルータと、前記ルータに別のネットワークを介して接続された受信端末と、前記ルータに前記別のネットワークを通じて接続された通信機器とを備えたコンテンツ再生システムにおける前記通信機器であって、
前記受信端末がデコードできないコンテンツを提供する前記ＩＰネットワークに接続された所定のサーバ装置への第１のコンテンツ要求を受け付ける第１の要求受付部と、前記受け付けた第１のコンテンツ要求にしたがって前記所定のサーバ装置へ向けての第１のリクエストを生成する第１のリクエスト生成部と、前記第１のリクエスト生成部から前記第１のリクエストを入力し送り出す第１の変換部と、外部からの映像データを入力する外部入力部とを有する前記受信端末の前記第１の変換部から、前記第１のリクエストを受け取った場合は、前記ルータを介して前記所定のサーバ装置へ前記第１のリクエストを送出する第１のリクエスト送出部と、
前記所定のサーバ装置からの前記第１のリクエストに対応する所定のコンテンツを、前記ルータを介して受け取る第１のコンテンツ受け取り部と、
前記受け取った所定のコンテンツをデコードするデコード部と、
前記デコード部でデコードされた映像データを前記受信端末の前記外部入力部へ送り出す映像データ送出部とを備えた、通信機器である。
【００３７】
また、第３の本発明は、
前記受信端末が表示する映像ソースを切り換えさせる切換指示を送る端末入力切換指示部を備え、
前記受信端末は、放送信号およびデータ放送信号を受信しそれぞれデコードして表示する放送信号処理部を有し、
前記受信端末の前記第１の要求受付部は、前記放送信号処理部が前記データ放送信号をデコードして表示した画面中に表示され、受け付けるようになっており、
前記端末入力切換指示部は、前記映像データ送出部から前記映像データを前記外部入力部に送り出す際、前記受信端末に対して、前記放送信号処理部による表示から前記送り出す映像データの表示に切り換えさせる、第２の本発明の通信機器である。
【００３８】
また、第４の本発明は、
第２のリクエスト送出部と、第２のコンテンツ受け取り部とをさらに備え、
前記受信端末は、前記受信端末がデコード可能なコンテンツを提供する前記ＩＰネットワークに接続された別の所定のサーバ装置への第２のコンテンツ要求を受け付ける第２の要求受付部と、前記第２の要求受付部で受け付けた場合に前記受け付けた第２のコンテンツ要求にしたがって前記別の所定のサーバ装置へ向けての第２のリクエストを生成する第２のリクエスト生成部と、前記第２のリクエスト生成部から前記第２のリクエストを入力し前記通信機器へ向けて送り出す第２の変換部とを有し、
前記第２のリクエスト送出部は、前記受信端末からの前記第２のリクエストを受け取った場合は、前記ルータを介して前記別の所定のサーバ装置へ前記第２のリクエストを送出し、
前記第２のコンテンツ受け取り部は、前記別の所定のサーバ装置からの前記第２のリクエストに対応する別の所定のコンテンツを前記ルータを介して受け取ると、前記別のネットワークを介して前記受信端末へ送り出し、
前記受信端末は、送り込まれた前記別の所定のコンテンツをデコードして表示する、第３の本発明の通信機器である。
【００３９】
また、第５の本発明は、
前記端末入力切換指示部は、前記デコード部による前記第１のリクエストに対応する所定のコンテンツのデコードおよびそのデコードされた前記映像データの送り出しが終わった後に、前記受信端末に対して、前記放送信号処理部による表示に切り換えさせる、第３の本発明の通信機器である。
【００４０】
また、第６の本発明は、
前記受信端末から受け取ったリクエスト内に記載されるＵＲＬの中の特定文字列の有無に応じて、そのリクエストが前記第１のリクエストか前記第２のリクエストかを判定し、その判定結果にしたがって、前記第１のリクエスト送出部または前記第２のリクエスト送出部がそのリクエストを処理する、第４の本発明の通信機器である。
【００４１】
また、第７の本発明は、
前記受信端末から受け取ったリクエスト内に記載されるＵＲＬの中のホスト名が、予め設定されているホスト名と一致するか否かに応じて、そのリクエストが前記第１のリクエストか前記第２のリクエストかを判定し、その判定結果にしたがって、前記第１のリクエスト送出部または前記第２のリクエスト送出部がそのリクエストを処理する、第４の本発明の通信機器である。
【００４２】
また、第８の本発明は、
前記受信端末から受け取ったリクエストの中の特定文字列の有無に応じて、そのリクエストが前記第１のリクエストか前記第２のリクエストかを判定し、その判定結果にしたがって、前記第１のリクエスト送出部または前記第２のリクエスト送出部がそのリクエストを処理する、第４の本発明の通信機器である。
【００４３】
また、第９の本発明は、
ブラウザで表示させるためのコンテンツを送信するサーバ装置にＩＰネットワークを介して接続されたルータと、前記ルータに別のネットワークを介して接続された受信端末と、前記ルータに前記別のネットワークを通じて接続された通信機器とを備えたコンテンツ再生システムにおいて、
前記受信端末は、
前記受信端末がデコードできないコンテンツを提供する、前記ＩＰネットワークに接続された所定のサーバ装置への第３のコンテンツ要求を受け付ける第３の要求受付部と、
前記受け付けた第３のコンテンツ要求にしたがって前記所定のサーバ装置へ向けての第３のリクエストを生成する第３のリクエスト生成部と、
前記第３のリクエスト生成部から前記第３のリクエストを入力し、前記ルータを介して前記所定のサーバ装置へ向けて送り出す第１の要求送出部と、
外部からの映像データを入力する外部入力部とを有し、
前記ルータは、
前記所定のサーバ装置から送り出された前記第３のリクエストに対応するコンテンツを受け付けた場合、そのコンテンツを前記別のネットワークを通じて前記通信機器に送り出す転送部を有し、
前記通信機器は、
前記ルータから前記送り出されたコンテンツを受け取るコンテンツ受け取り部と、
前記受け取ったコンテンツをデコードするデコード部と、
前記デコード部でデコードされた映像データを前記受信端末の前記外部入力部へ送り出す映像データ送出部とを有する、コンテンツ再生システムである。
【００４４】
また、第１０の本発明は、
ブラウザで表示させるためのコンテンツを送信するサーバ装置にＩＰネットワークを介して接続されたルータと、前記ルータに別のネットワークを介して接続された受信端末と、前記ルータに前記別のネットワークを通じて接続された通信機器とを備えたコンテンツ再生システムにおける前記通信機器において、
前記受信端末がデコードできないコンテンツを提供する前記ＩＰネットワークに接続された所定のサーバ装置への第３のコンテンツ要求を受け付ける第３の要求受付部と、前記受け付けた第３のコンテンツ要求にしたがって前記所定のサーバ装置へ向けての第３のリクエストを生成する第３のリクエスト生成部と、前記第３のリクエスト生成部から前記第３のリクエストを入力し前記ルータを介して前記所定のサーバ装置へ向けて送り出す第１の要求送出部と、外部からの映像データを入力する外部入力部とを有する前記受信端末の前記外部入力部へ映像データを送り出す前記通信機器であって、
前記所定のサーバ装置から送り出された前記第３のリクエストに対応するコンテンツを受け付けた場合、そのコンテンツを前記別のネットワークを通じて送り出す転送部を有する前記ルータの前記転送部から前記送り出されたコンテンツを受け取るコンテンツ受け取り部と、
前記受け取ったコンテンツをデコードするデコード部と、
前記デコード部でデコードされた前記映像データを前記受信端末の前記外部入力部へ送り出す映像データ送出部とを備えた、通信機器である。
【００４５】
また、第１１の本発明は、
前記受信端末が表示する映像ソースを切り換えさせる切換指示を送る端末入力切換指示部を備え、
前記受信端末は、放送信号およびデータ放送信号を受信しデコードして表示する放送信号処理部を有し、
前記受信端末の前記第３の要求受付部は、前記放送信号処理部が前記データ放送信号をデコードして表示した画面中に表示され、受け付けるようになっており、
前記端末入力切換指示部は、前記映像データ送出部から前記映像データを前記外部入力部に送り出す際、前記受信端末に対して、前記放送信号処理部による表示から前記送り出す映像データの表示に切り換えさせる、第１０の本発明の通信機器である。
【００４６】
また、第１２の本発明は、
前記受信端末は、前記受信端末がデコード可能なコンテンツを提供する前記ＩＰネットワークに接続された別の所定のサーバ装置への第４のコンテンツ要求を受け付ける第４の要求受付部と、前記第４の要求受付部で受け付けた場合に前記受け付けた第４のコンテンツ要求にしたがって前記別の所定のサーバ装置へ向けての第４のリクエストを生成する第４のリクエスト生成部と、前記生成された第４のリクエストを前記ルータを介して前記別の所定のサーバ装置へ向けて送り出す第２の要求送出部とを有し、前記ルータを介して受け取った前記第４のリクエストに対応するコンテンツをデコードして表示する、第１１の本発明の通信機器である。
【００４７】
また、第１３の本発明は、
ＨＤＭＩケーブルにより前記受信端末の前記外部入力部と接続されており、
前記端末入力切換指示部は、前記受信端末が表示する映像ソースの切換指示を、ＣＥＣを用いて行う、第４または第１１の本発明の通信機器である。
【００４８】
また、第１４の本発明は、
前記端末入力切換指示部は、前記受信端末が表示する映像ソースの切換指示を、赤外線によるリモコン信号を用いて行う、第４または第１１の本発明の通信機器である。
【００４９】
また、第１５の本発明は、
第４の本発明の通信機器の、前記第１のリクエストを受け取った場合は前記ルータを介して前記所定のサーバ装置へ前記第１のリクエストを送出する前記第１のリクエスト送出部、前記所定のサーバ装置からの前記第１のリクエストに対応する所定のコンテンツを前記ルータを介して受け取る前記第１のコンテンツ受け取り部、前記受け取った所定のコンテンツをデコードする前記デコード部、前記受信端末が表示する映像ソースを切り換えさせる切換指示を送る前記端末入力切換指示部、前記受信端末からの前記第２のリクエストを受け取った場合は前記ルータを介して前記別の所定のサーバ装置へ前記第２のリクエストを送出する前記第２のリクエスト送出部、前記別の所定のサーバ装置からの前記第２のリクエストに対応する別の所定のコンテンツを前記ルータを介して受け取ると前記別のネットワークを介して前記受信端末へ送り出す前記第２のコンテンツ受け取り部、としてコンピュータを機能させるプログラムである。
【００５０】
また、第１６の本発明は、
第１１の本発明の通信機器の、前記ルータの前記転送部から前記送り出されたコンテンツを受け取る前記コンテンツ受け取り部、前記受け取ったコンテンツをデコードする前記デコード部、前記受信端末が表示する映像ソースを切り換えさせる切換指示を送る前記端末入力切換指示部、としてコンピュータを機能させるプログラムである。
【００５１】
また、第１７の本発明は、
第１５または第１６の本発明のプログラムを記録した記録媒体であって、コンピュータにより処理可能な記録媒体である。
【発明の効果】
【００５２】
本発明により、放送ＢＭＬ連携のＶＯＤサービスに対応していないテレビを利用してこのサービスを実現できるコンテンツ再生システム、通信機器等を提供できる。
【発明を実施するための最良の形態】
【００５３】
以下本発明を実施するための最良の形態について、図面を参照しながら説明する。
【００５４】
（実施の形態１）
図１は、本発明の実施の形態１のコンテンツ再生システムのシステム構成図である。
【００５５】
図１において、放送送信センタ１１はデジタルテレビ放送の送出を行っており、映像・音声等の他にデータ放送のためのＢＭＬコンテンツの送出も行っている。受信アンテナ１２は電波で送られてきたデジタルテレビ放送信号１００を受信し、同軸ケーブルを介してデジタルテレビ１３に信号を送っている。なお、デジタルテレビ１３は、ＶＯＤサービスを利用できる機能を有していないレガシーテレビである。
【００５６】
また、ＶＯＤサーバセンタ１５は放送ＢＭＬ連携ＶＯＤにて提供するＶＯＤコンテンツの送出を行っており、通信ＢＭＬサーバセンタ１４はデータ放送閲覧時の通信網経由のＢＭＬコンテンツの送出を行っており、両方ともＩＰネットワーク１６を介して家庭内のホームルータ１７と接続されている。ホームルータ１７は家庭内ＬＡＮを介してデジタルテレビ１３とＶＯＤ対応ＳＴＢ１８の両方に接続している。
【００５７】
なお、ホームルータ１７は、ルーティング機能を有する一般的なルータであり、図１に示すコンテンツ再生システムにおいて、図１３に示した従来のシステム構成と異なるのは、ＶＯＤ対応ＳＴＢ１８を追加した点のみである。
【００５８】
なお、ＶＯＤ対応ＳＴＢ１８が、本発明の通信機器の一例にあたり、デジタルテレビ１３が、本発明の受信端末の一例にあたる。また、ＶＯＤサーバセンタ１５が、本発明の所定のサーバ装置の一例にあたり、通信ＢＭＬサーバセンタ１４が、本発明の別の所定のサーバ装置の一例にあたる。また、デジタルテレビ１３とＶＯＤ対応ＳＴＢ１８とホームルータ１７で構成されている家庭内ＬＡＮが、本発明の別のネットワークの一例にあたる。
【００５９】
また、ＶＯＤサーバセンタ１５から送出されるＶＯＤコンテンツが、本発明の、受信端末がデコードできないコンテンツの一例にあたり、また、本発明の所定のコンテンツの一例にもあたる。また、通信ＢＭＬサーバセンタ１４から送出されるＢＭＬコンテンツが、本発明の受信端末がデコード可能なコンテンツの一例にあたり、また、本発明の別の所定のコンテンツの一例にもあたる。
【００６０】
また、デジタルテレビ１３とＶＯＤ対応ＳＴＢ１８は、それぞれＨＤＭＩコネクタ３８および３７を備えており、ＨＤＭＩケーブルにより接続されている。
【００６１】
なお、ＨＤＭＩコネクタ３８が、本発明の外部入力部の一例にあたる。
【００６２】
次に、デジタルテレビ１３の構成について説明する。
【００６３】
デジタルテレビ１３のチューナ２１は、放送波中の放送信号１００からＭＰＥＧ２−ＴＳのデータストリームを取り出す。このデータをＴＳデコーダ２２にて映像データとＢＭＬデータに分離する。
【００６４】
ＴＳデコーダ２２で取り出された映像データはＡＶデコーダ２３に入力され映像信号となって、画面出力部２７にて画面に出力される。
【００６５】
ＴＳデコーダ２２で取り出されたＢＭＬデータはＢＭＬブラウザ２５に入力され、ＢＭＬデータにしたがって画面構成がレンダリングされ、画面出力部２７にて画面に出力される。
【００６６】
なお、チューナ２１、ＴＳデコーダ２２、ＡＶデコーダ２３およびＢＭＬブラウザ２５を合わせた構成が、本発明の放送信号処理部の一例にあたる。
【００６７】
ＢＭＬデータをレンダリングして表示した画面（データ放送内容画面）中に表示されるリンク情報のボタンをユーザがリモコン操作等により選択すると、選択項目指示部２０にその選択情報が入力される。
【００６８】
ＢＭＬブラウザ２５は、データ放送内容画面中に表示されたＵＲＬ情報にリンクしたボタンがユーザ操作により選択されると、送信メッセージ生成部２８に選択されたボタンにリンクしたＵＲＬ宛の要求メッセージ（ＨＴＴＰリクエスト）を生成させる。
【００６９】
宛先変換部３０は、予め設定されているプロキシサーバの宛先を、送信メッセージ生成部２８で生成された要求メッセージに付加して、ＬＡＮ／ＩＦ２４によってそのメッセージを送信する。
【００７０】
本実施の形態１では、プロキシサーバの設定を、ＶＯＤ対応ＳＴＢ１８のＩＰアドレスおよびプロキシ機能が待ち受けているポート番号に設定しておく。したがって、宛先変換部３０では、ＶＯＤ対応ＳＴＢ１８のプロキシ機能が待ち受けているポート番号の宛先が要求メッセージに付加されることになる。
【００７１】
応答メッセージ解析部２９は、ＬＡＮ／ＩＦ２４で受信した応答メッセージ（ＨＴＴＰレスポンス）からコンテンツデータを抽出してＢＭＬブラウザ２５に渡す。そして、ＢＭＬブラウザ２５は、渡されたコンテンツデータを放送ＢＭＬと同様の方法で画面に出力させる。
【００７２】
ＨＤＭＩ／ＣＥＣ通信部２６は、ＨＤＭＩケーブルで接続されたＶＯＤ対応ＳＴＢ１８からＨＤＭＩコネクタ３８に入力された映像データを受信し、画面出力部２７にて画面に出力させる。また、ＨＤＭＩ／ＣＥＣ通信部２６は、ＶＯＤ対応ＳＴＢ１８から受信したＣＥＣによる入力切換要求にしたがって、画面出力部２７の入力ソースの切換を行う。
【００７３】
次に、ＶＯＤ対応ＳＴＢ１８の構成について説明する。
【００７４】
ＶＯＤ対応ＳＴＢ１８のＬＡＮＩ／Ｆ３１は、ホームルータ１７を介してＩＰネットワーク１６と接続され、ＨＴＴＰプロキシ３２やＶＯＤプレーヤ３４の通信を制御する。
【００７５】
ＨＴＴＰプロキシ３２は、デジタルテレビ１３、ＶＯＤサーバセンタ１５および通信ＢＭＬサーバセンタ１４の間に論理的に接続されている。デジタルテレビ１３からのＨＴＴＰリクエストを受信した場合は、そのメッセージをＶＯＤ判定部３３に転送し、ＶＯＤの要求かどうかの判定を依頼する。ＨＴＴＰプロキシ３２は、ＶＯＤ判定部３３が「ＶＯＤの要求である」と判断した場合のみ、ＶＯＤプレーヤ３４にメッセージ内のＶＯＤコンテンツのＵＲＬを伝える。
【００７６】
ＶＯＤプレーヤ３４は、ＨＴＴＰプロキシ３２からＵＲＬを受け取ると起動し、ＶＯＤサーバセンタ１５から映像データを受信し、デコーダ３５へ入力する。また、ＶＯＤプレーヤ３４は、デジタルテレビ１３への入力切換の要求をＨＤＭＩ／ＣＥＣ通信部３６に依頼する。
【００７７】
デコーダ３５は、ＶＯＤプレーヤ３４から入力された映像データをデコードし、そのデコードした映像データをＨＤＭＩ／ＣＥＣ通信部３６に送る。ＨＤＭＩ／ＣＥＣ通信部３０６は、その映像データをＨＤＭＩコネクタ３７から出力させ、ＨＤＭＩケーブルを介してデジタルテレビ１３に送信する。
【００７８】
なお、ＨＤＭＩ／ＣＥＣ通信部３６とＨＤＭＩコネクタ３７を合わせた構成が、本発明の映像データ送出部の一例にあたる。
【００７９】
次に、本実施の形態１のコンテンツ再生システムで、放送ＢＭＬに連携したＶＯＤコンテンツを再生する場合の動作について、図１〜図３を用いて説明する。
【００８０】
図２は、本実施の形態１のコンテンツ再生システムで、放送ＢＭＬに連携したＶＯＤコンテンツを再生する際のシーケンス図を示している。また、図３（ａ）〜（ｃ）は、本実施の形態１のコンテンツ再生システムで、放送ＢＭＬに連携したＶＯＤコンテンツを再生する際の、デジタルテレビ１３の画面表示例を示している。
【００８１】
本実施の形態１の動作をさせるために、予めデジタルテレビ１３のプロキシサーバの設定をＶＯＤ対応ＳＴＢ１８のＩＰアドレスおよびプロキシ機能が待ち受けているポート番号に設定しておく。これにより、デジタルテレビ１３のＬＡＮＩ／Ｆ２４で送受信されるメッセージは全て、ＶＯＤ対応ＳＴＢ１８によって中継される。
【００８２】
まず、放送送信センタ１１が放送波を通じて送信している放送信号１００をデジタルテレビ１３のチューナ２１が受信し、チューナ２１は放送信号１００から放送ＢＭＬコンテンツ１０１を抽出して、ＢＭＬブラウザ２５に受け渡す。
【００８３】
ＢＭＬブラウザ２５は、受け取った放送ＢＭＬコンテンツ１０１のレンダリングを行い、レンダリング結果１０２を画面出力部２７に送る。画面出力部２７は、その内容を画面に表示する。
【００８４】
図３（ａ）は、このときにデジタルテレビ１３の画面に表示されるデータ放送画面９０の表示例を示している。
【００８５】
データ放送画面９０内には、ＡＶデコーダ２３でデコードされたＴＶ放送映像９１がその一部に表示されるとともに、放送ＢＭＬコンテンツ１０１に、通信ＢＭＬコンテンツに対応するＵＲＬやＶＯＤコンテンツに対応するＵＲＬが含まれていた場合には、図３（ａ）に示すように、通信ＢＭＬ連携ボタン９２やＶＯＤコンテンツ再生ボタン９３が表示される。なお、図３（ａ）では、ＴＶ放送映像９１がデータ放送画面９０内の一部に表示される例を示しているが、ＴＶ放送映像９１は表示されなくてもよい。
【００８６】
ここでユーザがＢＭＬコンテンツ上のＶＯＤの再生を選択するか、通信ＢＭＬページへの遷移を選択するかによって動作が変わる。ユーザは、デジタルテレビ１３用のリモコンを用いて、データ放送画面９０内に表示されている通信ＢＭＬ連携ボタン９２またはＶＯＤコンテンツ再生ボタン９３をクリックすることにより、通信ＢＭＬページへの遷移またはＢＭＬコンテンツ上のＶＯＤの再生を選択できる。
【００８７】
ここでは、ユーザは、ＢＭＬコンテンツ上のＶＯＤの再生を選択１０３したものとする。図３（ａ）は、ＶＯＤコンテンツ再生ボタン９３をユーザがクリックした状態、つまりＶＯＤ再生を選択した状態を示している。
【００８８】
ユーザがＶＯＤの再生を選択１０３すると、ＶＯＤの再生が選択された情報が選択項目入力部２０からＢＭＬブラウザ２５に通知され、ＢＭＬブラウザ２５は、送信メッセージ生成部２８にＶＯＤコンテンツ再生ボタン９３にリンクしたＶＯＤコンテンツのＵＲＬ宛のＨＴＴＰリクエストを生成させる。
【００８９】
プロキシサーバの設定がＶＯＤ対応ＳＴＢ１８のＩＰアドレスおよびプロキシ機能が待ち受けているポート番号に予め設定されているので、宛先変換部３０は、送信メッセージ生成部２８が生成したＨＴＴＰリクエストを、宛先をＨＴＴＰプロキシ３２としたＨＴＴＰリクエスト１０４とし、ＬＡＮＩ／Ｆ２４によってそのＨＴＴＰリクエスト１０４をＨＴＴＰプロキシ３２に向けて送信する。この際にＨＴＴＰリクエスト１０４によって要求するＵＲＬには、ＶＯＤコンテンツのＵＲＬが記述される。
【００９０】
なお、ＶＯＤの再生の選択を受け付ける選択項目入力部２０が、本発明の第１の要求受付部の一例にあたる。また、ＶＯＤコンテンツのＵＲＬ宛のＨＴＴＰリクエストを生成する送信メッセージ生成部２８が、本発明の第１のリクエスト生成部の一例にあたる。また、このときに送信メッセージ生成部２８が生成したＨＴＴＰリクエストを宛先をＨＴＴＰプロキシ３２としたＨＴＴＰリクエスト１０４にする宛先変換部３０が、本発明の第１の変換部の一例にあたる。
【００９１】
ＶＯＤ対応ＳＴＢ１８では、ＨＴＴＰプロキシ３２がＨＴＴＰリクエスト１０４を受信すると、このＨＴＴＰリクエスト１０４をＶＯＤ判定部３３に渡し、ＵＲＬを解析させる。
【００９２】
ＶＯＤ判定部３３は、ＨＴＴＰリクエスト１０４に記述されているＵＲＬ内の特定の文字列を探す。例えばこの特定の文字列を“ｖｏｄ”とすると、要求するＵＲＬが“ｈｔｔｐ：／／ｗｗｗ．ａａａ．ｊｐ／ｖｏｄ／ｍｏｖｉｅ．ｎｅｔ”の場合にＵＲＬ内の“ｖｏｄ”が検出され、ＶＯＤの要求であることが認識される。
【００９３】
ＨＴＴＰプロキシ３２は、ＶＯＤ判定部３３で「ＶＯＤの要求である」と判定された場合、ＢＭＬブラウザ２５に対してはダミーのＢＭＬコンテンツ１０６（例えば“ＶＯＤコンテンツを再生しています。”と表示するコンテンツ）を送り返すとともに、ＨＴＴＰリクエスト１０４から抽出したＶＯＤコンテンツのＵＲＬ１０５をＶＯＤプレーヤ３４に送る。
【００９４】
デジタルテレビ１３のＢＭＬブラウザ２５は、このＢＭＬコンテンツ１０６を応答メッセージ解析部２９から受け取ると、このＢＭＬコンテンツ１０６をレンダリングし、そのレンダリング結果１０７を画面出力部２７を介してデジタルテレビ１３の画面に表示させる。
【００９５】
図３（ｂ）は、ＢＭＬブラウザ２５がダミーのＢＭＬコンテンツ１０６をレンダリングしたレンダリング結果１０７を表示させたときの画面表示例を示している。例えばこのように、データ放送画面９０内に、「ＶＯＤコンテンツを再生しています」といった内容のダミーＢＭＬコンテンツ９４が表示される。
【００９６】
一方、ＨＴＴＰプロキシ３２からＶＯＤコンテンツのＵＲＬ１０５を受け取ったＶＯＤプレーヤ３４は、ＨＤＭＩ／ＣＥＣ通信部３６からＣＥＣ経由にて入力切換コマンド１０８をデジタルテレビ１３のＨＤＭＩ／ＣＥＣ通信部２６へ送信させる。
【００９７】
入力切換コマンド１０８を受け取ったデジタルテレビ１３のＨＤＭＩ／ＣＥＣ通信部２６は、画面出力部２７に対して、それまでＡＶデコーダ２３でデコードされた映像データおよびＢＭＬブラウザ２５でレンダリングされたＢＭＬコンテンツとしていた入力ソースを、ＶＯＤ対応ＳＴＢ１８が接続されたＨＤＭＩコネクタ３８からの入力に切り換える。
【００９８】
また、ＶＯＤプレーヤ３４は、上記のように画面出力部２７の入力ソースを切り換えるとともに、ＶＯＤコンテンツの取得リクエスト（ＨＴＴＰリクエスト１０９）をＶＯＤサーバセンタ１５に向けて送信する。
【００９９】
なお、入力切換コマンド１０８をデジタルテレビ１３のＨＤＭＩ／ＣＥＣ通信部２６へ送信させるＶＯＤプレーヤ３４が、本発明の端末入力切換指示部の一例にあたる。また、ＶＯＤコンテンツの取得リクエスト（ＨＴＴＰリクエスト１０９）をＶＯＤサーバセンタ１５に向けて送信するＶＯＤプレーヤ３４が、本発明の第１のリクエスト送出部の一例にあたる。本実施の形態１において、ＶＯＤプレーヤ３４は、本発明の端末入力切換指示部と第１のリクエスト送出部の機能を兼ねている。また、ＶＯＤコンテンツの取得要求のＨＴＴＰリクエスト１０４および１０９が、本発明の第１のリクエストの一例にあたる。
【０１００】
ホームルータ１７およびＩＰネットワーク１６を介して、ＨＴＴＰリクエスト１０９を受信したＶＯＤサーバセンタ１５は、要求されたＶＯＤコンテンツを含むＨＴＴＰレスポンス１１０をＶＯＤプレーヤ３４に向けて送信する。
【０１０１】
ＶＯＤプレーヤ３４は、ＩＰネットワーク１６およびホームルータ１７を介してＨＴＴＰレスポンス１１０を受信すると、ＨＴＴＰレスポンス１１０に含まれるＶＯＤコンテンツの映像データをデコーダ３５に渡す。
【０１０２】
なお、ＶＯＤサーバセンタ１５から送信されてきたＨＴＴＰレスポンス１１０を受信するＶＯＤプレーヤ３４が、本発明の第１のコンテンツ受け取り部の一例にあたる。本実施の形態１において、ＶＯＤプレーヤ３４は、本発明の第１のコンテンツ受け取り部の機能も兼ねている。また、デコーダ３５が、本発明のデコード部の一例にあたる。
【０１０３】
デコーダ３５でデコードされたＶＯＤ映像データ１１１は、ＨＤＭＩ／ＣＥＣ通信部３６からＨＤＭＩ経由でデジタルテレビ１３のＨＤＭＩ／ＣＥＣ通信部２６へ送信され、画面出力部２７によってそのＶＯＤ映像データ１１１がデジタルテレビ１３の画面に表示される。
【０１０４】
図３（ｃ）は、このようにしてＶＯＤ映像データ１１１がデジタルテレビ１３の画面に表示されたときの画面表示例を示している。
【０１０５】
この場合、画面出力部２７の入力ソースがＨＤＭＩコネクタ３８からの入力に切り換えられるので、図３（ｂ）に示すデータ放送画面９０の画面表示から、外部入力画面９５が画面全体に表示される画面に切り換わる。そして、ＨＤＭＩコネクタ３８から入力されたＶＯＤ映像データ１１１に対応するＶＯＤコンテンツ映像９６が画面に表示される。
【０１０６】
以上のシーケンスにより、デジタルテレビ１３におけるＶＯＤ映像データ１１１の再生表示が開始されるが、再生表示中はＣＥＣを用いたテレビリモコンによる再生制御が可能である。
【０１０７】
要求したＶＯＤコンテンツの映像データが終了するまで、ＶＯＤプレーヤ３４によるＨＴＴＰレスポンス１１０の受信処理、デコーダ３５によるデコード処理および画面出力部２７へのＶＯＤ映像データ１１１の送信処理が繰り返される（１１２）。
【０１０８】
そして、ＶＯＤプレーヤ３４は、そのＶＯＤコンテンツの終了を検出１１３すると、ＨＤＭＩ／ＣＥＣ通信部３６からＣＥＣ経由にて入力切換コマンド１１４をデジタルテレビ１３のＨＤＭＩ／ＣＥＣ通信部２６へ送信させ、それまでＨＤＭＩコネクタ３８からの入力としていた画面出力部２７の入力ソースを、ＡＶデコーダ２３およびＢＭＬブラウザ２５からの放送映像データに切り換える。この際、デジタルテレビ１３は、入力切換コマンド１０８によって切り換えられる直前に視聴していた放送チャンネルを記憶しているので、それにしたがってＶＯＤコンテンツの再生元のチャンネルに遷移することができる。
【０１０９】
次に、本実施の形態１のコンテンツ再生システムで、放送ＢＭＬに連携した通信ＢＭＬページへ遷移させる場合の動作について、図１、図４および図５を用いて説明する。
【０１１０】
図４は、本実施の形態１のコンテンツ再生システムで、放送ＢＭＬに連携した通信ＢＭＬページへ遷移させる際のシーケンス図を示している。また、図５（ａ）〜（ｃ）は、本実施の形態１のコンテンツ再生システムで、放送ＢＭＬに連携した通信ＢＭＬページへ遷移させる際の、デジタルテレビ１３の画面表示例を示している。なお、図４および図５において、それぞれ図２および図３と同じ構成部分には、同じ符号を用いている。
【０１１１】
ＢＭＬブラウザ２５が、ＴＳデコーダ２２から受け取った放送ＢＭＬコンテンツ１０１のレンダリングを行い、レンダリング結果１０２を画面出力部２７によって画面に表示させるまでの動作は、図２および図３を用いて説明した放送ＢＭＬに連携したＶＯＤコンテンツを再生する場合の動作と同様である。
【０１１２】
ここでは、ユーザは、通信ＢＭＬページへの遷移を選択１２０したものとする。
【０１１３】
図５（ａ）は、図３（ａ）と同じ画面の表示例を示しているが、図５（ａ）の場合には、通信ＢＭＬ連携ボタン９２をユーザがクリックした状態、つまりユーザが通信ＢＭＬページへの遷移を選択した状態を示している。
【０１１４】
ユーザが通信ＢＭＬページへの遷移を選択１２０すると、通信ＢＭＬページへの遷移が選択された情報が選択項目入力部２０からＢＭＬブラウザ２５に通知され、ＢＭＬブラウザ２５は、送信メッセージ生成部２８に通信ＢＭＬ連携ボタン９２にリンクした通信ＢＭＬコンテンツのＵＲＬ宛のＨＴＴＰリクエストを生成させる。
【０１１５】
プロキシサーバの設定がＶＯＤ対応ＳＴＢ１８のＩＰアドレスおよびプロキシ機能が待ち受けているポート番号に予め設定されているので、宛先変換部３０は、送信メッセージ生成部２８が生成したＨＴＴＰリクエストを、宛先をＨＴＴＰプロキシ３２としたＨＴＴＰリクエスト１２１とし、ＬＡＮＩ／Ｆ２４によってそのＨＴＴＰリクエスト１２１をＨＴＴＰプロキシ３２に向けて送信する。この際にＨＴＴＰリクエスト１２１によって要求するＵＲＬには通信ＢＭＬコンテンツのＵＲＬが記述される。
【０１１６】
なお、このときの、通信ＢＭＬページへの遷移の選択を受け付ける選択項目入力部２０が、本発明の第２の要求受付部の一例にあたる。また、通信ＢＭＬコンテンツのＵＲＬ宛のＨＴＴＰリクエストを生成する送信メッセージ生成部２８が、本発明の第２のリクエスト生成部の一例にあたる。また、このときに送信メッセージ生成部２８が生成したＨＴＴＰリクエストを宛先をＨＴＴＰプロキシ３２としたＨＴＴＰリクエスト１２１にする宛先変換部３０が、本発明の第２の変換部の一例にあたる。
【０１１７】
本実施の形態１では、選択項目入力部２０が、本発明の第２の要求受付部と第２の要求受付部の機能を兼ねている。また、送信メッセージ生成部２８が、第１のリクエスト生成部と第２のリクエスト生成部の機能を兼ねている。また、宛先変換部３０が、本発明の第１の変換部と第２の変換部の機能を兼ねている。
【０１１８】
図５（ｂ）は、デジタルテレビ１３から通信ＢＭＬコンテンツを要求するＨＴＴＰリクエスト１２１を送信したときの画面表示例を示している。例えば、ＢＭＬブラウザ２５が「データ取得中」という映像データを生成して画面出力部２７に入力することにより、データ放送画面９０内に「データ取得中」といった内容のブラウザ状態表示９７が表示される。
【０１１９】
ＶＯＤ対応ＳＴＢ１８では、ＨＴＴＰプロキシ３２がＨＴＴＰリクエスト１２１を受信すると、このＨＴＴＰリクエスト１２１をＶＯＤ判定部３３に渡し、ＵＲＬを解析させる。
【０１２０】
ＶＯＤ判定部３３は、ＨＴＴＰリクエスト１２１に記述されているＵＲＬ内の特定の文字列を探す。例えばこの特定の文字列を“ｖｏｄ”とすると、要求するＵＲＬが“ｈｔｔｐ：／／ｗｗｗ．ａａａ．ｊｐ／ｂｍｌ／ｉｎｄｅｘ．ｈｔｍ”の場合にＵＲＬ内の“ｖｏｄ”が検出できず、通信ＢＭＬの要求であることが認識される。
【０１２１】
ＨＴＴＰプロキシ３２は、ＶＯＤ判定部３３で「通信ＢＭＬの要求である」と認識された場合、通常のＨＴＴＰプロキシとして動作する。すなわち、通信ＢＭＬコンテンツの取得リクエスト（ＨＴＴＰリクエスト１２２）を通信ＢＭＬサーバセンタ１４に向けて送信する。
【０１２２】
なお、通信ＢＭＬコンテンツの取得リクエスト（ＨＴＴＰリクエスト１２２）を送信するＨＴＴＰプロキシ３２が、本発明の第２のリクエスト送出部の一例にあたる。また、通信ＢＭＬコンテンツの取得要求のＨＴＴＰリクエスト１２１および１２２が、本発明の第２のリクエストの一例にあたる。
【０１２３】
ホームルータ１７およびＩＰネットワーク１６を介して、ＨＴＴＰリクエスト１２２を受信した通信ＢＭＬサーバセンタ１４は、要求された通信ＢＭＬコンテンツを含むＨＴＴＰレスポンス１２３をＨＴＴＰプロキシ３２に向けて送信する。
【０１２４】
ＨＴＴＰプロキシ３２は、ＩＰネットワーク１６およびホームルータ１７を介してＨＴＴＰレスポンス１２３（通信ＢＭＬコンテンツ）を受信すると、この通信ＢＭＬコンテンツを含むＨＴＴＰレスポンス１２４を、ＢＭＬブラウザ２５からのＨＴＴＰリクエスト１２１に対する応答として送信する。
【０１２５】
ＨＴＴＰレスポンス１２３（通信ＢＭＬコンテンツ）を受信し、この通信ＢＭＬコンテンツを含むＨＴＴＰレスポンス１２４を送信するＨＴＴＰプロキシ３２が、本発明の第２のコンテンツ受け取り部の一例にあたる。
【０１２６】
デジタルテレビ１３のＢＭＬブラウザ２５は、通信ＢＭＬサーバセンタ１４からのＨＴＴＰレスポンス１２４を受信すると、ＨＴＴＰレスポンス１２４に含まれる通信ＢＭＬコンテンツをレンダリングし、そのレンダリング結果１２５を画面出力部２７によって画面に表示させる。
【０１２７】
図５（ｃ）は、通信ＢＭＬコンテンツのレンダリング結果１２５がデジタルテレビ１３の画面に表示されたときの画面表示例を示している。この場合、通信ＢＭＬコンテンツのレンダリング結果１２５に対応する通信ＢＭＬコンテンツ画像９８が、データ放送画面９０内の一部または全体に表示される。
【０１２８】
次に、本実施の形態１のＶＯＤ対応ＳＴＢ１８における動作について説明する。
【０１２９】
図６は、本実施の形態１のＶＯＤ対応ＳＴＢ１８の動作を示したフローチャートである。
【０１３０】
ＶＯＤ対応ＳＴＢ１８のＨＴＴＰプロキシ３２は、ＬＡＮＩ／Ｆ３１によって、デジタルテレビ１３から送信されたＨＴＴＰリクエストを受信する（ステップＳ１）と、そのＨＴＴＰリクエストがＶＯＤコンテンツを要求するメッセージか否かをＶＯＤ判定部３３に判定させる（ステップＳ２）。
【０１３１】
ここで、ＶＯＤ判定部３３が「ＶＯＤコンテンツの要求ではない」と判定した場合には、ＨＴＴＰプロキシ３２は、デジタルテレビ１３から受信したＨＴＴＰリクエストを、そのまま通信ＢＭＬサーバセンタ１４に向けて送信させ（ステップＳ９）、その後は、通常のＨＴＴＰプロキシとしての動作をする。すなわち、その後は、ＨＴＴＰプロキシ３２は、デジタルテレビ１３と通信ＢＭＬサーバセンタ１４間で送受信されるメッセージの中継動作をする。
【０１３２】
一方、ステップＳ２において、ＶＯＤ判定部３３が「ＶＯＤコンテンツの要求である」と判定した場合には、ＨＴＴＰプロキシ３２は、例えば“ＶＯＤコンテンツを再生しています。”と表示するようなダミーのＢＭＬコンテンツをデジタルテレビ１３に送信する（ステップＳ３）。そして、デジタルテレビ１３から受信したＨＴＴＰリクエストに含まれているＶＯＤコンテンツのＵＲＬをＶＯＤプレーヤ３４に渡すと、ＶＯＤプレーヤ３４が、ＶＯＤサーバセンタ１５に向けて、ＨＴＴＰリクエストを送信する（ステップＳ４）。
【０１３３】
また、ＶＯＤプレーヤ３４は、ＨＴＴＰリクエストをＶＯＤサーバセンタ１５に送信するとともに、ＨＤＭＩ／ＣＥＣ通信部３６によってＣＥＣ経由でデジタルテレビ１３の画面出力部２７の入力ソースをＨＤＭＩコネクタ３８からの入力に切り換えさせる（ステップＳ５）。
【０１３４】
そして、ＶＯＤプレーヤ３４は、ＶＯＤサーバセンタ１５から受信したＶＯＤコンテンツを順次デコーダ３５に渡し、デコーダ３５がデコードした映像データをＨＤＭＩコネクタ３７から出力して（ステップＳ６）、そのデコードされた映像データがデジタルテレビ１３の画面に再生表示される。デジタルテレビ１３から要求されたそのＶＯＤコンテンツのデータが終了するまで、ＶＯＤプレーヤ３４によるＶＯＤコンテンツデータの受信処理、デコーダ３５によるデコード処理、ＨＤＭＩコネクタ３７からの出力処理の動作が繰り返し行われる。
【０１３５】
そして、そのＶＯＤコンテンツデータの受信が終了すると（ステップＳ７）、ＶＯＤプレーヤ３４は、ＨＤＭＩ／ＣＥＣ通信部３６によってＣＥＣ経由でデジタルテレビ１３の画面出力部２７の入力ソースを、放送データをデコードした映像データの入力に切り換える（ステップＳ８）。
【０１３６】
このようにして、ＶＯＤコンテンツの再生機能を持っていないレガシーテレビ（デジタルテレビ１３）であっても、ＶＯＤ対応ＳＴＢ１８を追加するだけで、デジタルテレビ１３によるＶＯＤコンテンツの利用を実現できる。
【０１３７】
なお、上記した本実施の形態１では、ＶＯＤ対応ＳＴＢ１８からのデジタルテレビ１３の画面出力部２７の入力ソースの切換指示を、ＣＥＣコマンドで行うこととしたが、赤外線によるリモコン信号の送出で指示するようにしてもよい。
【０１３８】
図７は、赤外線によるリモコン信号でデジタルテレビ１３の画面出力部２７の入力ソースの切換指示をする場合の、本発明の実施の形態１のコンテンツ再生システムのシステム構成図を示している。図１と同じ構成部分には、同じ符号を用いている。
【０１３９】
図７に示すＶＯＤ対応ＳＴＢ４５は、図１に示したＶＯＤ対応ＳＴＢ１８の構成に加えて、赤外線送信部３９および赤外線発光部４２を備えている。
【０１４０】
また、図７のデジタルテレビ１３に示した赤外線受信部４０および赤外線受光部４１は、図１では記載を省略していたが、赤外線リモコンから発光される赤外線データを受光して処理する、デジタルテレビ１３が通常備えている構成である。
【０１４１】
ＶＯＤ対応ＳＴＢ４５の赤外線送信部３９は、デジタルテレビ１３に付属している赤外線リモコンから発光される赤外線データと同様の赤外線データを赤外線発光部４２から発光させる。
【０１４２】
図７に示すコンテンツ再生システムでは、ＶＯＤプレーヤ３４からの入力ソース切換指示に応じて、赤外線送信部３９が、赤外線発光部４２からデジタルテレビ１３の入力切換の赤外線データを発光させる。
【０１４３】
この図７に示したコンテンツ再生システムの構成の場合にも、ＶＯＤコンテンツの再生機能を持っていないデジタルテレビ１３にＶＯＤ対応ＳＴＢ４５を追加するだけで、デジタルテレビ１３によるＶＯＤコンテンツの利用を実現できる。
【０１４４】
また、本実施の形態１のコンテンツ再生システムでは、ユーザは、データ放送画面９０に表示されたＶＯＤコンテンツ再生ボタン９３をクリックする操作のみで、デジタルテレビ１３の画面にＶＯＤコンテンツの再生表示が行われる。つまり、ＶＯＤ対応のデジタルＴＶで放送ＢＭＬ連携のＶＯＤサービスを利用する場合と同等の操作性で、ＶＯＤコンテンツの利用を実現できる。
【０１４５】
なお、本実施の形態１において、ＶＯＤの再生か通信ＢＭＬページへの遷移かの判断方法として、予めＶＯＤサーバセンタ１５または通信ＢＭＬサーバセンタ１４のＩＰアドレスやホスト名をＶＯＤ対応ＳＴＢ１８にプリセットしておき、その値と要求するＵＲＬの照合によって判断を行ってもよい。
【０１４６】
（実施の形態２）
図８に、本発明の実施の形態２のコンテンツ再生システムのシステム構成図を示す。なお、図１と同じ構成部分には同じ符号を用いている。
【０１４７】
実施の形態１のコンテンツ再生システムでは、ＶＯＤの再生か通信ＢＭＬページへの遷移かの判定を、デジタルテレビ１３から送信された要求メッセージを解析して行ったが、この判定を、通信ＢＭＬサーバセンタ１４またはＶＯＤサーバセンタ１５からデジタルテレビ１３に向けて送信される応答メッセージを解析して行うようにしてもよい。
【０１４８】
本実施の形態２のコンテンツ再生システムのＶＯＤ対応ＳＴＢ５０は、ＶＯＤの再生か通信ＢＭＬページへの遷移かの判定を、通信ＢＭＬサーバセンタ１４またはＶＯＤサーバセンタ１５からデジタルテレビ１３に向けて送信されてくるＨＴＴＰレスポンスを解析して行う。
【０１４９】
図８に示した本実施の形態２のコンテンツ再生システムは、図１のＶＯＤ対応ＳＴＢ１８をＶＯＤ対応ＳＴＢ５０に置き換えた構成である。図１に示したＶＯＤ対応ＳＴＢ１８とは、ＨＴＴＰプロキシ５１およびＶＯＤプレーヤ５２の動作が異なる。
【０１５０】
ここでは、図１に示したコンテンツ再生システムと異なる部分について説明する。
【０１５１】
本実施の形態２のコンテンツ再生システムで、放送ＢＭＬに連携した通信ＢＭＬページへ遷移させる場合の動作については、実施の形態１のコンテンツ再生システムにおける動作と同様であり、図４に示したシーケンスのように動作する。つまり、この場合には、本実施の形態２のＨＴＴＰプロキシ５１およびＶＯＤプレーヤ５２は、それぞれ図１に示したＨＴＴＰプロキシ３２およびＶＯＤプレーヤ３４と同様の動作をする。
【０１５２】
放送ＢＭＬに連携したＶＯＤコンテンツを再生する場合の動作が、実施の形態１のコンテンツ再生システムにおける動作とは異なる。
【０１５３】
以下に、本実施の形態２のコンテンツ再生システムにおける、放送ＢＭＬに連携したＶＯＤコンテンツを再生する場合の動作について、図８および図９を用いて説明する。
【０１５４】
図９は、本実施の形態２のコンテンツ再生システムで、放送ＢＭＬに連携したＶＯＤコンテンツを再生する際のシーケンス図を示している。なお、図２に示したシーケンス図と同じ構成部分には同じ符号を用いている。
【０１５５】
ユーザがＶＯＤの再生を選択１０３したときに、ＨＴＴＰリクエスト１０４をＶＯＤ対応ＳＴＢ５０のＨＴＴＰプロキシ５１に向けて送信するまでのデジタルテレビ１３における動作は、実施の形態１のコンテンツ再生システムの場合と同様である。ＨＴＴＰプロキシ５１がＨＴＴＰリクエスト１０４を受信した後の本実施の形態２のコンテンツ再生システムの動作について、以下に説明する。
【０１５６】
ＶＯＤ対応ＳＴＢ５０のＨＴＴＰプロキシ５１は、ＨＴＴＰリクエスト１０４を受信すると、ＨＴＴＰリクエスト１０４に記載されている宛先にこの要求メッセージを転送する。この場合、ユーザはＶＯＤの再生を選択１０３しているので、ＨＴＴＰリクエスト１０４の宛先にはＶＯＤサーバセンタ１５のアドレスが記載されており、ＨＴＴＰリクエスト１３０がＶＯＤサーバセンタ１５に向けて転送されることになる。
【０１５７】
なお、ＶＯＤコンテンツの取得リクエスト（ＨＴＴＰリクエスト１３０）をＶＯＤサーバセンタ１５に向けて送信するＨＴＴＰプロキシ５１が、本発明の第１のリクエスト送出部の一例にあたる。本実施の形態２においては、ＨＴＴＰプロキシ５１が、本発明の第１のリクエスト送出部と第２のリクエスト送出部の機能を兼ねている。また、ＶＯＤコンテンツの取得要求のＨＴＴＰリクエスト１０４および１３０が、本発明の第１のリクエストの一例にあたる。
【０１５８】
ホームルータ１７およびＩＰネットワーク１６を介して、ＨＴＴＰリクエスト１３０を受信したＶＯＤサーバセンタ１５は、要求されたＶＯＤコンテンツを含むＨＴＴＰレスポンス１３１をＨＴＴＰプロキシ５１に向けて送信する。
【０１５９】
ＨＴＴＰプロキシ５１は、ＨＴＴＰレスポンス１３１を受信すると、ＶＯＤ判定部３３に渡してＵＲＬを解析させる。
【０１６０】
なお、ＶＯＤコンテンツ含むＨＴＴＰレスポンス１３１を受信するＨＴＴＰプロキシ５１が、本発明の第１のコンテンツ受け取り部の一例にあたる。本実施の形態２においては、ＨＴＴＰプロキシ５１が、本発明の第１のコンテンツ受け取り部と第２のコンテンツ受け取り部の機能も兼ねている。
【０１６１】
ＶＯＤ判定部３３は、実施の形態１と同様の方法により、ＨＴＴＰレスポンス１３１が、ＶＯＤの応答であるか否かを判定する。
【０１６２】
ここでもし、ＶＯＤ判定部３３で「通信ＢＭＬの応答である」と認識された場合、すなわちＨＴＴＰレスポンス１３１が通信ＢＭＬサーバセンタ１４などから送信されてきた場合には、ＨＴＴＰプロキシ５１は、通常のＨＴＴＰプロキシとして動作し、受け取ったＨＴＴＰレスポンス１３１をそのままデジタルテレビ１３に向けて転送する。つまり、この場合には、図４に示すシーケンスにしたがった動作をする。
【０１６３】
しかし、ここでは、ＨＴＴＰレスポンス１３１はＶＯＤサーバセンタ１５から送信されてくるので、ＶＯＤ判定部３３では「ＶＯＤの応答である」と認識される。
【０１６４】
ＨＴＴＰプロキシ５１は、ＶＯＤ判定部３３で「ＶＯＤの応答である」と判定されると、ＢＭＬブラウザ２５に対してはダミーのＢＭＬコンテンツ１３２（例えば“ＶＯＤコンテンツを再生しています。”と表示するコンテンツ）を送り返すとともに、ＨＴＴＰレスポンス１３１から抽出したＶＯＤコンテンツデータ１３４をＶＯＤプレーヤ５２に送る。
【０１６５】
デジタルテレビ１３のＢＭＬブラウザ２５は、このＢＭＬコンテンツ１３２を応答メッセージ解析部２９から受け取ると、このＢＭＬコンテンツ１３２をレンダリングし、そのレンダリング結果１３３を画面出力部２７を介してデジタルテレビ１３の画面に表示させる。
【０１６６】
一方、ＨＴＴＰプロキシ５１からＶＯＤコンテンツデータ１３４を受け取ったＶＯＤプレーヤ５２は、ＨＤＭＩ／ＣＥＣ通信部３６からＣＥＣ経由にて入力切換コマンド１３５をデジタルテレビ１３のＨＤＭＩ／ＣＥＣ通信部２６へ送信させる。
【０１６７】
入力切換コマンド１３５を受け取ったデジタルテレビ１３のＨＤＭＩ／ＣＥＣ通信部２６は、画面出力部２７に対して、それまでＡＶデコーダ２３でデコードされた映像データおよびＢＭＬブラウザ２５でレンダリングされたＢＭＬコンテンツとしていた入力ソースを、ＶＯＤ対応ＳＴＢ５０が接続されたＨＤＭＩコネクタ３８からの入力に切り換える。
【０１６８】
また、ＶＯＤプレーヤ５２は、上記のように画面出力部２７の入力ソースを切り換えるとともに、ＶＯＤコンテンツデータ１３４をデコーダ３５に渡してデコードさせ、そのデコードされたＶＯＤ映像データ１３６を、ＨＤＭＩ／ＣＥＣ通信部３６からＨＤＭＩ経由でデジタルテレビ１３のＨＤＭＩ／ＣＥＣ通信部２６へ送信させる。そして、デジタルテレビ１３のＨＤＭＩコネクタ３８に入力されたＶＯＤ映像データ１３６が、画面出力部２７によってデジタルテレビ１３の画面に表示される。
【０１６９】
以上のシーケンスにより、デジタルテレビ１３におけるＶＯＤ映像データ１３６の再生表示が開始されるが、再生表示中はＣＥＣを用いたテレビリモコンによる再生制御が可能である。
【０１７０】
要求したＶＯＤコンテンツの映像データが終了するまで、ＨＴＴＰプロキシ５１によるＨＴＴＰレスポンス１３１の受信処理、デコーダ３５によるＶＯＤコンテンツデータ１３４に対するデコード処理および画面出力部２７へのＶＯＤ映像データ１３６の送信処理が繰り返される（１３７）。
【０１７１】
そして、ＶＯＤプレーヤ５２は、そのＶＯＤコンテンツの終了を検出１３８すると、ＨＤＭＩ／ＣＥＣ通信部３６からＣＥＣ経由にて入力切換コマンド１３９をデジタルテレビ１３のＨＤＭＩ／ＣＥＣ通信部２６へ送信させ、それまでＨＤＭＩコネクタ３８からの入力としていた画面出力部２７の入力ソースを、ＡＶデコーダ２３およびＢＭＬブラウザ２５からの放送映像データに切り換える。この際、デジタルテレビ１３は、入力切換コマンド１３５によって切り換えられる直前に視聴していた放送チャンネルを記憶しているので、それにしたがってＶＯＤコンテンツの再生元のチャンネルに遷移することができる。
【０１７２】
このように、本実施の形態２のコンテンツ再生システムにおいても、実施の形態１と同様に、ＶＯＤコンテンツの再生機能を持っていないデジタルテレビ１３にＶＯＤ対応ＳＴＢ５０を追加するだけで、デジタルテレビ１３によるＶＯＤコンテンツの利用を実現できる。しかも、ＶＯＤ対応のデジタルＴＶで放送ＢＭＬ連携のＶＯＤサービスを利用する場合と同等の操作性でＶＯＤコンテンツの利用を実現できる。
【０１７３】
（実施の形態３）
図１０に、本発明の実施の形態３のコンテンツ再生システムのシステム構成図を示す。なお、図１と同じ構成部分には同じ符号を用いている。
【０１７４】
実施の形態１および実施の形態２では、通信されるメッセージがＶＯＤに関するメッセージであるか否かの判定を、ＶＯＤ対応ＳＴＢのＶＯＤ判定部３３で行うこととしたのに対し、本実施の形態３のコンテンツ再生システムでは、この判定をホームルータで行うこととした点が異なる。
【０１７５】
図１に示したＶＯＤ対応ＳＴＢ１８と比較してわかるように、本実施の形態３のＶＯＤ対応ＳＴＢ６１は、ＶＯＤ判定部３３を備えていない。
【０１７６】
図１０に示すＶＯＤ対応ＳＴＢ６１のＬＡＮＩ／Ｆ６５、ＶＯＤプレーヤ６６、デコーダ６７およびＨＤＭＩ／ＣＥＣ通信部６８は、それぞれ図１に示すＬＡＮＩ／Ｆ３１、ＶＯＤプレーヤ３４、デコーダ３５およびＨＤＭＩ／ＣＥＣ通信部３６と同一の機能を有している。
【０１７７】
本実施の形態３のホームルータ６０は、家庭内ＬＡＮとの送受信を制御するＬＡＮＩ／Ｆ６４と、家庭内ＬＡＮとＩＰネットワーク１６間の通信接続を制御するＩＰデータ転送部６２と、ＶＯＤ判定部６３を備えている。
【０１７８】
ＶＯＤ判定部６３は、ＩＰデータ転送部６２から渡されるメッセージの送信元のアドレスが、予め設定されているアドレスと一致するか否かを判定する。
【０１７９】
ＩＰデータ転送部６２は、ＩＰネットワーク１６から送信されてくるメッセージをＶＯＤ判定部６３に渡して判定させ、「送信元が予め設定されているアドレスではない」と判定された場合には、ＬＡＮＩ／Ｆ６４によって、そのメッセージを記載されている通りの送信先アドレスに送信させる。ＶＯＤ判定部６３によって「送信元が予め設定されているアドレスである」と判定された場合には、そのメッセージを、記載されている送信先アドレスではなく別の予め設定されているアドレス宛に送信させる。
【０１８０】
なお、ＩＰデータ転送部６２が、本発明の転送部の一例にあたる。また、本実施の形態３においては、選択項目入力部２０が、本発明の第３の要求受付部の一例にあたり、本発明の第４の要求受付部の機能も兼ねている。また、ＶＯＤコンテンツのＵＲＬ宛のＨＴＴＰリクエストを生成する送信メッセージ生成部２８が、本発明の第３のリクエスト生成部の一例にあたり、本発明の第４のリクエスト生成部の機能も兼ねている。また、本実施の形態３においては、宛先変換部３０が、本発明の第１の要求送出部の一例にあたり、本発明の第２の要求送出部の機能も兼ねている。
【０１８１】
次に、本実施の形態３のコンテンツ再生システムで、放送ＢＭＬに連携したＶＯＤコンテンツを再生する場合の動作について、図１０および図１１を用いて説明する。
【０１８２】
図１１は、本実施の形態３のコンテンツ再生システムで、放送ＢＭＬに連携したＶＯＤコンテンツを再生する際のシーケンス図を示している。なお、図１１において、図２と同じ構成部分には、同じ符号を用いている。
【０１８３】
本実施の形態３の動作をさせるために、ホームルータ６０において、上記の「予め設定されている送信元アドレス」としてＶＯＤサーバセンタ１５のアドレスを設定しておき、「別の予め設定されている送信先アドレス」としてＶＯＤ対応ＳＴＢ６１のアドレスを設定しておく。
【０１８４】
ユーザがＶＯＤの再生を選択１０３するまでのデジタルテレビ１３における動作は、実施の形態１のコンテンツ再生システムの場合と同様である。ユーザがＶＯＤの再生を選択１０３した後の本実施の形態３のコンテンツ再生システムの動作について、以下に説明する。
【０１８５】
ユーザがＶＯＤの再生を選択１０３すると、ＢＭＬブラウザ２５は、送信メッセージ生成部２８にＶＯＤコンテンツのＵＲＬ宛のＨＴＴＰリクエストを生成させる。
【０１８６】
宛先変換部３０は、送信メッセージ生成部２８が生成したＨＴＴＰリクエストを、宛先をホームルータ６０としたＨＴＴＰリクエスト１４０とし、ＬＡＮＩ／Ｆ２４によってそのＨＴＴＰリクエスト１４０をＩＰデータ転送部６２に向けて送信する。この際にＨＴＴＰリクエスト１４０によって要求するＵＲＬにはＶＯＤコンテンツのＵＲＬが記述される。
【０１８７】
ホームルータ６０のＩＰデータ転送部６２は、ＨＴＴＰリクエスト１４０を受信すると、ＨＴＴＰリクエスト１４０に記載されている宛先にこの要求メッセージを転送する。この場合、ユーザはＶＯＤの再生を選択１０３しているので、ＨＴＴＰリクエスト１４０の宛先にはＶＯＤサーバセンタ１５のアドレスが記載されており、ＨＴＴＰリクエスト１４１がＶＯＤサーバセンタ１５に向けて転送されることになる。
【０１８８】
ＩＰネットワーク１６を介して、ＨＴＴＰリクエスト１４１を受信したＶＯＤサーバセンタ１５は、要求されたＶＯＤコンテンツを含むＨＴＴＰレスポンス１４２をデジタルテレビ１３に向けて送信する。
【０１８９】
ホームルータ６０のＩＰデータ転送部６２は、ＨＴＴＰレスポンス１４２を受信すると、ＶＯＤ判定部６３に渡してＵＲＬを解析させる。
【０１９０】
ＶＯＤ判定部６３は、ＨＴＴＰレスポンス１４２の送信元のアドレスが「予め設定されている送信元アドレス」に一致するか否かを判定する。
【０１９１】
「予め設定されている送信元アドレス」には、ＶＯＤサーバセンタ１５のアドレスが設定されているので、ＶＯＤ判定部６３は、「送信元が予め設定されているアドレスである」と判定する。
【０１９２】
ＩＰデータ転送部６２は、ＶＯＤ判定部６３で「送信元が予め設定されているアドレスである」と判定されたので、ＨＴＴＰレスポンス１４２の送信先アドレスを「別の予め設定されている送信先アドレス」に変更したＨＴＴＰレスポンス１４３として、ＬＡＮＩ／Ｆ６４によって送信させる。ここで、「別の予め設定されている送信先アドレス」には、ＶＯＤ対応ＳＴＢ６１のアドレスが設定されているので、ＨＴＴＰレスポンス１４３は、ＶＯＤ対応ＳＴＢ６１に向けて送信される。
【０１９３】
ＶＯＤ対応ＳＴＢ６１のＶＯＤプレーヤ６６は、ＬＡＮＩ／Ｆ６５で受信されたＨＴＴＰレスポンス１４３を受け取ると、ＨＤＭＩ／ＣＥＣ通信部６８からＣＥＣ経由にて入力切換コマンド１４４をデジタルテレビ１３のＨＤＭＩ／ＣＥＣ通信部２６へ送信させる。
【０１９４】
なお、ＨＴＴＰレスポンス１４３を受け取るＶＯＤプレーヤ６６が、本発明のコンテンツ受け取り部の一例にあたる。
【０１９５】
入力切換コマンド１４４を受け取ったデジタルテレビ１３のＨＤＭＩ／ＣＥＣ通信部２６は、画面出力部２７に対して、それまでＡＶデコーダ２３でデコードされた映像データおよびＢＭＬブラウザ２５でレンダリングされたＢＭＬコンテンツとしていた入力ソースを、ＶＯＤ対応ＳＴＢ６１が接続されたＨＤＭＩコネクタ３８からの入力に切り換える。
【０１９６】
また、ＶＯＤプレーヤ６６は、ＨＴＴＰレスポンス１４３に含まれるＶＯＤコンテンツの映像データをデコーダ６７に渡す。
【０１９７】
デコーダ６７でデコードされたＶＯＤ映像データ１４５は、ＨＤＭＩ／ＣＥＣ通信部６８からＨＤＭＩ経由でデジタルテレビ１３のＨＤＭＩ／ＣＥＣ通信部２６へ送信され、画面出力部２７によってそのＶＯＤ映像データ１４５がデジタルテレビ１３の画面に表示される。
【０１９８】
以上のシーケンスにより、デジタルテレビ１３におけるＶＯＤ映像データ１４５の再生表示が開始されるが、再生表示中はＣＥＣを用いたテレビリモコンによる再生制御が可能である。
【０１９９】
要求したＶＯＤコンテンツの映像データが終了するまで、ＩＰデータ転送部６２によるＨＴＴＰレスポンス１４３の転送処理、ＶＯＤプレーヤ６６によるＨＴＴＰレスポンス１４３の受信処理、デコーダ６７によるデコード処理および画面出力部２７へのＶＯＤ映像データ１４５の送信処理が繰り返される（１４６）。
【０２００】
そして、ＶＯＤプレーヤ６６は、そのＶＯＤコンテンツの終了を検出１４７すると、ＨＤＭＩ／ＣＥＣ通信部６８からＣＥＣ経由にて入力切換コマンド１４８をデジタルテレビ１３のＨＤＭＩ／ＣＥＣ通信部２６へ送信させ、それまでＨＤＭＩコネクタ３８からの入力としていた画面出力部２７の入力ソースを、ＡＶデコーダ２３およびＢＭＬブラウザ２５からの放送映像データに切り換える。この際、デジタルテレビ１３は、入力切換コマンド１４４によって切り換えられる直前に視聴していた放送チャンネルを記憶しているので、それにしたがってＶＯＤコンテンツの再生元のチャンネルに遷移することができる。
【０２０１】
次に、本実施の形態３のコンテンツ再生システムで、放送ＢＭＬに連携した通信ＢＭＬページへ遷移させる場合の動作について、図１０および図１２を用いて説明する。
【０２０２】
図１２は、本実施の形態３のコンテンツ再生システムで、放送ＢＭＬに連携した通信ＢＭＬページへ遷移させる際のシーケンス図を示している。なお、図１２において、図４と同じ構成部分には、同じ符号を用いている。
【０２０３】
ユーザが通信ＢＭＬページへの遷移を選択１２０するまでのデジタルテレビ１３における動作は、実施の形態１のコンテンツ再生システムの場合と同様である。ユーザが通信ＢＭＬページへの遷移を選択１２０した後の本実施の形態３のコンテンツ再生システムの動作について、以下に説明する。
【０２０４】
ユーザが通信ＢＭＬページへの遷移を選択１２０すると、ＢＭＬブラウザ２５は、送信メッセージ生成部２８に通信ＢＭＬコンテンツのＵＲＬ宛のＨＴＴＰリクエストを生成させる。
【０２０５】
宛先変換部３０は、送信メッセージ生成部２８が生成したＨＴＴＰリクエストを、宛先をホームルータ６０としたＨＴＴＰリクエスト１５０とし、ＬＡＮＩ／Ｆ２４によってそのＨＴＴＰリクエスト１５０をＩＰデータ転送部６２に向けて送信する。この際にＨＴＴＰリクエスト１５０によって要求するＵＲＬには通信ＢＭＬコンテンツのＵＲＬが記述される。
【０２０６】
ホームルータ６０のＩＰデータ転送部６２は、ＨＴＴＰリクエスト１５０を受信すると、ＨＴＴＰリクエスト１５０に記載されている宛先にこの要求メッセージを転送する。この場合、ユーザは通信ＢＭＬページへの遷移を選択１２０しているので、ＨＴＴＰリクエスト１５０の宛先には通信ＢＭＬサーバセンタ１４のアドレスが記載されており、ＨＴＴＰリクエスト１５１が通信ＢＭＬサーバセンタ１４に向けて転送されることになる。
【０２０７】
ＩＰネットワーク１６を介して、ＨＴＴＰリクエスト１５１を受信した通信ＢＭＬサーバセンタ１４は、要求されたＶＯＤコンテンツを含むＨＴＴＰレスポンス１５２をデジタルテレビ１３に向けて送信する。
【０２０８】
ホームルータ６０のＩＰデータ転送部６２は、ＨＴＴＰレスポンス１５２を受信すると、ＶＯＤ判定部６３に渡してＵＲＬを解析させる。
【０２０９】
ＶＯＤ判定部６３は、ＨＴＴＰレスポンス１４２の送信元のアドレスが「予め設定されている送信元アドレス」に一致するか否かを判定する。
【０２１０】
ＨＴＴＰレスポンス１５２は通信ＢＭＬサーバセンタ１４から送信されてきたのに対し、「予め設定されている送信元アドレス」には、ＶＯＤサーバセンタ１５のアドレスが設定されているので、ＶＯＤ判定部６３は、「送信元が予め設定されているアドレスではない」と判定する。
【０２１１】
ＩＰデータ転送部６２は、ＶＯＤ判定部６３で「送信元が予め設定されているアドレスではない」と判定されたので、ＨＴＴＰレスポンス１５２に記載されている送信先アドレス宛に、ＨＴＴＰレスポンス１５３をＬＡＮＩ／Ｆ６４によって送信させる。ここで、ＨＴＴＰレスポンス１５２に記載されている送信先はデジタルテレビ１３なので、ＨＴＴＰレスポンス１５３は、デジタルテレビ１３に向けて送信される。
【０２１２】
デジタルテレビ１３のＢＭＬブラウザ２５は、ホームルータ６０によって転送されてきたＨＴＴＰレスポンス１５３を受信すると、ＨＴＴＰレスポンス１５３に含まれる通信ＢＭＬコンテンツをレンダリングし、そのレンダリング結果１５４を画面出力部２７によって画面に表示させる。
【０２１３】
なお、上記した本実施の形態３では、ＶＯＤ対応ＳＴＢ６１からのデジタルテレビ１３の画面出力部２７の入力ソースの切換指示を、ＣＥＣコマンドで行うこととしたが、図７で示した構成のように、赤外線によるリモコン信号の送出で指示するようにしてもよい。
【０２１４】
このように、本実施の形態３のコンテンツ再生システムでは、ＶＯＤコンテンツの再生機能を持っていないデジタルテレビ１３にＶＯＤ対応ＳＴＢ６１およびホームルータ６０を追加するだけで、デジタルテレビ１３によるＶＯＤコンテンツの利用を実現できる。しかも、ＶＯＤ対応のデジタルＴＶで放送ＢＭＬ連携のＶＯＤサービスを利用する場合と同等の操作性でＶＯＤコンテンツの利用を実現できる。
【０２１５】
なお、本実施の形態３で説明したホームルータ６０の機能、すなわち設定された送信元からのメッセージを設定された特定の送信先へ送信するような機能は、多くのルータが備えている一般的な機能である。ルータがこの機能を備えている場合には、図１３に示すような従来のコンテンツ再生システムの構成に対して、ＶＯＤ対応ＳＴＢ６１を追加し、ホームルータ２０７の設定を変更するだけで本実施の形態３のコンテンツ再生システムを構成できる。
【０２１６】
また、実施の形態１や実施の形態２では、デジタルテレビ１３においてプロキシサーバの設定をする必要があるが、本実施の形態３のコンテンツ再生システムの場合には、デジタルテレビ１３についてはそのような設定変更をすることもなく実現できる。
【０２１７】
なお、レガシーテレビは、ＢＭＬブラウザとともにＨＴＭＬブラウザも備えている。上記の各実施の形態では、ＢＭＬブラウザを例に説明したが、本発明はＨＴＭＬブラウザに対して適用することもできる。したがって各実施の形態において、ＢＭＬブラウザに代えてＨＴＭＬブラウザで行うことで、アクトビラ（登録商標）等のＩＰネットワークを用いた映像配信システム、映像配信サービスに適用することも可能である。
【０２１８】
以上に説明したように、本発明のコンテンツ再生システムおよび通信機器は、ＶＯＤ機能を搭載しないデジタルテレビでも煩雑な操作を必要とせず、シームレスにＶＯＤサービスの利用が可能となるので、デジタル放送サービス内のデータ放送にてインターネット経由のビデオ・オン・デマンド（ＶＯＤ）を提供する端末機器として有用である。
【０２１９】
なお、本発明のプログラムは、上述した本発明の通信機器の、前記第１のリクエストを受け取った場合は前記ルータを介して前記所定のサーバ装置へ前記第１のリクエストを送出する前記第１のリクエスト送出部、前記所定のサーバ装置からの前記第１のリクエストに対応する所定のコンテンツを前記ルータを介して受け取る前記第１のコンテンツ受け取り部、前記受け取った所定のコンテンツをデコードする前記デコード部、前記受信端末が表示する映像ソースを切り換えさせる切換指示を送る前記端末入力切換指示部、前記受信端末からの前記第２のリクエストを受け取った場合は前記ルータを介して前記別の所定のサーバ装置へ前記第２のリクエストを送出する前記第２のリクエスト送出部、前記別の所定のサーバ装置からの前記第２のリクエストに対応する別の所定のコンテンツを前記ルータを介して受け取ると前記別のネットワークを介して前記受信端末へ送り出す前記第２のコンテンツ受け取り部の機能をコンピュータにより実行させるためのプログラムであって、コンピュータと協働して動作するプログラムである。
【０２２０】
また、本発明のプログラムは、上述した本発明の通信機器の、前記ルータの前記転送部から前記送り出されたコンテンツを受け取る前記コンテンツ受け取り部、前記受け取ったコンテンツをデコードする前記デコード部、前記受信端末が表示する映像ソースを切り換えさせる切換指示を送る前記端末入力切換指示部の機能をコンピュータにより実行させるためのプログラムであって、コンピュータと協働して動作するプログラムである。
【０２２１】
また、本発明の記録媒体は、上述した本発明の通信機器の、前記第１のリクエストを受け取った場合は前記ルータを介して前記所定のサーバ装置へ前記第１のリクエストを送出する前記第１のリクエスト送出部、前記所定のサーバ装置からの前記第１のリクエストに対応する所定のコンテンツを前記ルータを介して受け取る前記第１のコンテンツ受け取り部、前記受け取った所定のコンテンツをデコードする前記デコード部、前記受信端末が表示する映像ソースを切り換えさせる切換指示を送る前記端末入力切換指示部、前記受信端末からの前記第２のリクエストを受け取った場合は前記ルータを介して前記別の所定のサーバ装置へ前記第２のリクエストを送出する前記第２のリクエスト送出部、前記別の所定のサーバ装置からの前記第２のリクエストに対応する別の所定のコンテンツを前記ルータを介して受け取ると前記別のネットワークを介して前記受信端末へ送り出す前記第２のコンテンツ受け取り部の機能をコンピュータにより実行させるためのプログラムを記録した記録媒体であり、コンピュータにより読み取り可能かつ、読み取られた前記プログラムが前記コンピュータと協働して利用される記録媒体である。
【０２２２】
また、本発明の記録媒体は、上述した本発明の通信機器の、前記ルータの前記転送部から前記送り出されたコンテンツを受け取る前記コンテンツ受け取り部、前記受け取ったコンテンツをデコードする前記デコード部、前記受信端末が表示する映像ソースを切り換えさせる切換指示を送る前記端末入力切換指示部の機能をコンピュータにより実行させるためのプログラムを記録した記録媒体であり、コンピュータにより読み取り可能かつ、読み取られた前記プログラムが前記コンピュータと協働して利用される記録媒体である。
【０２２３】
また、本発明のプログラムの一利用形態は、コンピュータにより読み取り可能な、ＲＯＭ等の記録媒体に記録され、コンピュータと協働して動作する態様であっても良い。
【０２２４】
また、本発明のプログラムの一利用形態は、インターネット等の伝送媒体、光・電波等の伝送媒体中を伝送し、コンピュータにより読みとられ、コンピュータと協働して動作する態様であっても良い。
【０２２５】
また、上述した本発明のコンピュータは、ＣＰＵ等の純然たるハードウェアに限らず、ファームウェアや、ＯＳ、更に周辺機器を含むものであっても良い。
【０２２６】
なお、以上説明した様に、本発明の構成は、ソフトウェア的に実現しても良いし、ハードウェア的に実現しても良い。
【産業上の利用可能性】
【０２２７】
本発明に係るコンテンツ再生システムおよび通信機器等は、放送ＢＭＬ連携のＶＯＤサービスに対応していないテレビを利用してこのサービスを実現できる効果を有し、デジタル放送サービス内のデータ放送によるサービスを利用する、コンテンツ再生システムおよび通信機器等として有用である。
【図面の簡単な説明】
【０２２８】
【図１】本発明の実施の形態１のコンテンツ再生システムのシステム構成図
【図２】本発明の実施の形態１のコンテンツ再生システムで、放送ＢＭＬに連携したＶＯＤンテンツを再生する際のシーケンス図
【図３】（ａ）本発明の実施の形態１のデジタルテレビにおける、放送ＢＭＬコンテンツデータの画面表示例を示す図、（ｂ）本発明の実施の形態１のデジタルテレビがＶＯＤ対応ＳＴＢからダミーのＢＭＬコンテンツを受信したときの画面表示例を示す図、（ｃ）本発明の実施の形態１のＶＯＤ対応ＳＴＢがデジタルテレビにＶＯＤ映像データを表示させたときの画面表示例を示す図
【図４】本発明の実施の形態１のコンテンツ再生システムで、放送ＢＭＬに連携した通信ＢＭＬページへ遷移させる際のシーケンス図
【図５】（ａ）本発明の実施の形態１のデジタルテレビにおける、放送ＢＭＬコンテンツデータの画面表示例を示す図、（ｂ）本発明の実施の形態１のデジタルテレビにおいて、ユーザが放送ＢＭＬに連携した通信ＢＭＬページへの遷移を選択したときの画面表示例を示す図、（ｃ）本発明の実施の形態１のデジタルテレビが通信ＢＭＬコンテンツデータを表示したときの画面表示例を示す図
【図６】本発明の実施の形態１のＶＯＤ対応ＳＴＢの動作を示したフローチャート
【図７】本発明の実施の形態１の、赤外線によるリモコン信号でデジタルテレビの入力ソースの切換指示をする構成のコンテンツ再生システムのシステム構成図
【図８】本発明の実施の形態２のコンテンツ再生システムのシステム構成図
【図９】本発明の実施の形態２のコンテンツ再生システムで、放送ＢＭＬに連携したＶＯＤンテンツを再生する際のシーケンス図
【図１０】本発明の実施の形態３のコンテンツ再生システムのシステム構成図
【図１１】本発明の実施の形態３のコンテンツ再生システムで、放送ＢＭＬに連携したＶＯＤンテンツを再生する際のシーケンス図
【図１２】本発明の実施の形態３のコンテンツ再生システムで、放送ＢＭＬに連携した通信ＢＭＬページへ遷移させる際のシーケンス図
【図１３】ＶＯＤサービスを利用できないレガシーテレビを用いる場合の、放送ＢＭＬに連携した通信ＢＭＬコンテンツ利用システムの構成図
【図１４】ＶＯＤサービスを利用できないレガシーテレビが通信ＢＭＬコンテンツを利用する際のシーケンス図
【図１５】放送ＢＭＬ連携のＶＯＤサービスに対応していないレガシーテレビで、ＶＯＤサーバセンタが提供するＶＯＤコンテンツを利用しようとした場合のシーケンス図
【符号の説明】
【０２２９】
１１  放送送信センタ
１２  受信アンテナ
１３  デジタルテレビ
１４  通信ＢＭＬサーバセンタ
１５  ＶＯＤサーバセンタ
１６  ＩＰネットワーク
１７  ホームルータ
１８  ＶＯＤ対応ＳＴＢ
２０  選択項目入力部
２１  チューナ
２２  ＴＳデコーダ
２３  ＡＶデコーダ
２４  ＬＡＮ  Ｉ／Ｆ
２５  ＢＭＬブラウザ
２６  ＨＤＭＩ／ＣＥＣ通信部
２７  画面出力部
２８  送信メッセージ生成部
２９  応答メッセージ解析部
３０  宛先変換部
３１  ＬＡＮ  Ｉ／Ｆ
３２  ＨＴＴＰプロキシ
３３  ＶＯＤ判定部
３４  ＶＯＤプレーヤ
３５  デコーダ
３６  ＨＤＭＩ／ＣＥＣ通信部
３７、３８  ＨＤＭＩコネクタ
３９  赤外線送信部
４０  赤外線受信部
４１  赤外線受光部
４２  赤外線発光部
４５  ＶＯＤ対応ＳＴＢ
５０  ＶＯＤ対応ＳＴＢ
５１  ＨＴＴＰプロキシ
５２  ＶＯＤプレーヤ
６０  ホームルータ
６１  ＶＯＤ対応ＳＴＢ
６２  ＩＰデータ転送部
６３  ＶＯＤ判定部
６４  ＬＡＮ  Ｉ／Ｆ
６５  ＬＡＮ  Ｉ／Ｆ
６６  ＶＯＤプレーヤ
６７  デコーダ
６８  ＨＤＭＩ／ＣＥＣ通信部
９０  データ放送画面
９１  ＴＶ放送映像
９２  通信ＢＭＬ連携ボタン
９３  ＶＯＤコンテンツ再生ボタン
９４  ダミーＢＭＬコンテンツ
９５  外部入力画面
９６  ＶＯＤコンテンツ映像
９７  ブラウザ状態表示
９８  通信ＢＭＬコンテンツ画像
１００  放送信号
【図１】
2010062658.tif 000003
【図２】
2010062658.tif 000004
【図３】
2010062658.tif 000005
【図４】
2010062658.tif 000006
【図５】
2010062658.tif 000007
【図６】
2010062658.tif 000008
【図７】
2010062658.tif 000009
【図８】
2010062658.tif 000010
【図９】
2010062658.tif 000011
【図１０】
2010062658.tif 000012
【図１１】
2010062658.tif 000013
【図１２】
2010062658.tif 000014
【図１３】
2010062658.tif 000015
【図１４】
2010062658.tif 000016
【図１５】
2010062658.tif 000017